(57)【特許請求の範囲】
【請求項１】
標的ラウドスピーカ―部屋―マイクロフォンシステムにおいて聴取位置の周りで音波動場を生成するように構成されるシステムであって、ラウドスピーカの各グループが少なくとも１つのラウドスピーカを有する、ラウドスピーカのＫ≧１のグループのラウドスピーカアレイが、前記聴取位置の周りに配置され、マイクロフォンの各グループが少なくとも１つのマイクロフォンを有する、マイクロフォンのＭ≧１のグループのマイクロフォンアレイが、前記聴取位置において配置され、前記システムが、
前記ラウドスピーカのグループの上流かつ入力信号パスの下流の信号パス内に配列され、制御可能な伝達関数を有する、Ｋ等化フィルタモジュールと、
前記マイクロフォンのグループの下流かつ前記入力信号パスの下流の信号パス内に配列され、前記マイクロフォンのＫのグループからのエラー信号、及び前記入力信号パス上の入力信号に基づく適応型制御アルゴリズムに従って、前記Ｋ等化フィルタモジュールの前記伝達関数を制御する、Ｋフィルタ制御モジュールと
を備え、
前記マイクロフォンアレイが、聴取者の頭の周りに、人工の頭の周りに、または剛体球の周りに環状に配置されるマイクロフォンの少なくとも２つの第１のグループを備え、前記マイクロフォンの少なくとも２つの第１のグループは、前記聴取者、前記人工の頭、または前記剛体球によって着用されるように構成されるヘッドバンド上に配置され、
Ｍ一次パスモデリングモジュールが、前記マイクロフォンのグループの上流かつ前記入力信号パスの下流の信号パス内に配列され、
前記一次パスモデリングモジュールは、前記マイクロフォンのグループおよび前記入力信号パスに結合された所望音源ラウドスピーカ―部屋―マイクロフォンシステムに存在する一次パスをモデリングするように構成され、
前記一次パスのモデリングは、前記音源ラウドスピーカ―部屋―マイクロフォンシステムにおける固有モードに基づき、
前記一次パスは、入力信号源とエラーマイクロフォンとの間に位置付けられたパスであり、
前記固有モードは、前記制御可能な伝達関数の所定の係数を介してモデリングされるコード化された元々の音波動場に対応し、
前記固有モードは、前記元々の音波動場に類似している仮想音波動場を提供するようにデコードされる、システム。
【請求項２】
聴取者の頭、人工の頭、または剛体球の周りに環状に配置されたマイクロフォンの少なくとも１つの第２のグループをさらに備える、請求項１に記載のシステム。
【請求項３】
マイクロフォンの少なくとも２つの第３のグループをさらに備え、前記マイクロフォンの少なくとも２つの第３のグループ及び前記マイクロフォンの第１のグループが、聴取者の頭の周りに、人工の頭の周りもしくは中に、または剛体球の周りもしくは中に、一緒に球状に配置される、請求項１に記載のシステム。
【請求項４】
前記マイクロフォンの球状に配置されたグループは、規則的な様式で配置される、請求項３に記載のシステム。
【請求項５】
前記マイクロフォンの第１のグループの各マイクロフォンの周りに配置された、マイクロフォンの少なくとも３つの第４のグループをさらに備える、請求項１に記載のシステム。
【請求項６】
前記マイクロフォンの少なくとも２つの第１のグループのうちの２つのグループは、前記標的ラウドスピーカ―部屋―マイクロフォンシステムにおいて、聴取者の耳がある位置、または、あるとされる位置に、あるいは、その位置の近くに配列される、請求項１〜５のいずれか一項に記載のシステム。
【請求項７】
標的ラウドスピーカ―部屋―マイクロフォンシステムにおいて聴取位置の周りで音波動場を生成するように構成される方法であって、ラウドスピーカの各グループが少なくとも１つのラウドスピーカを有する、ラウドスピーカのＫ≧１のグループのラウドスピーカアレイが、前記聴取位置の周りに配置され、マイクロフォンの各グループが少なくとも１つのマイクロフォンを有する、マイクロフォンのＭ≧１のグループのマイクロフォンアレイが、前記聴取位置において配置され、前記方法が、
前記ラウドスピーカのＫのグループの上流かつ入力信号パスの下流の信号パス内で制御可能な伝達関数を用いてフィルタ処理を等化することと、
前記マイクロフォンのＫのグループからのエラー信号、及び前記入力信号パス上の入力信号に基づく適応型制御アルゴリズムに従って、フィルタ処理を等化するための前記制御可能な伝達関数の等化制御信号を用いて制御することと
を含み、
前記マイクロフォンアレイが、聴取者の頭の周りに、人工の頭の周りに、または剛体球の周りに環状に配置されるマイクロフォンの少なくとも２つの第１のグループを備え、前記マイクロフォンの少なくとも２つの第１のグループは、前記聴取者、前記人工の頭、または前記剛体球によって着用されるように構成されるヘッドバンド上に配置され、
前記方法は、前記マイクロフォンのグループの上流かつ前記入力信号パスの下流の信号パス内で、所望音源ラウドスピーカ―部屋―マイクロフォンシステムに存在する一次パスをモデリングすることをさらに含み、前記所望音源ラウドスピーカ―部屋―マイクロフォンシステムは、前記マイクロフォンのグループおよび前記入力信号パスに結合され、
前記一次パスのモデリングは、前記所望音源ラウドスピーカ―部屋―マイクロフォンシステムにおける固有モードに基づき、
前記一次パスは、入力信号源とエラーマイクロフォンとの間に位置付けられたパスであり、
前記固有モードは、前記制御可能な伝達関数の所定の係数を介してモデリングされるコード化された元々の音波動場に対応し、
前記固有モードは、前記元々の音波動場に類似している仮想音波動場を提供するようにデコードされる、方法。
【請求項８】
聴取者の頭、人工の頭、または剛体球の周りに環状に配置されたマイクロフォンの少なくとも１つの第２のグループをさらに備える、請求項７に記載の方法。
【請求項９】
マイクロフォンの少なくとも２つの第３のグループをさらに備え、前記マイクロフォンの少なくとも２つの第３のグループ及び前記マイクロフォンの第１のグループが、聴取者の頭の周りに、人工の頭の周りもしくは中に、または剛体球の周りもしくは中に、一緒に球状に配置される、請求項７に記載の方法。
【請求項１０】
前記マイクロフォンの球状に配置されたグループは、規則的な様式で配置される、請求項９に記載の方法。
【請求項１１】
前記マイクロフォンの第１のグループの各マイクロフォンの周りに配置された、マイクロフォンの少なくとも３つの第４のグループをさらに備える、請求項７に記載の方法。
【請求項１２】
前記マイクロフォンの少なくとも２つの第１のグループのうちの２つのグループは、前記標的ラウドスピーカ―部屋―マイクロフォンシステムにおいて、聴取者の耳がある位置、または、あるとされる位置に、あるいは、その位置の近くに配列される、請求項７〜１１のいずれか一項に記載の方法。
【発明の詳細な説明】
【技術分野】
【０００１】
本開示は、音波動場生成システム及び方法に関する。
【背景技術】
【０００２】
空間音場再生技法は、多数のラウドスピーカを利用して、大きな聴取エリアにわたって仮想聴覚場面を創出する。いくつかの音場再生技法（例えば、波動場合成（ＷＦＳ）またはアンビソニックス）は、複数のラウドスピーカを備えているラウドスピーカアレイを使用して、音響場面の高精細な空間再生を提供する。具体的には、波動場合成は、音響場面の高精細な空間再生を達成するのに使用され、例えば、数十〜数百ものラウドスピーカのアレイを使用することによって制限を克服する。
【０００３】
空間音場再生技法は、ステレオ再生技法の制限のいくつかを克服する。しかしながら、技術的な制約により、音声再生の多数のラウドスピーカの利用は妨げられている。波動場合成（ＷＦＳ）及びアンビソニックスは、２つの類似した種類の音場再生である。それらは異なる音場の表現（ＷＦＳではキルヒホッフ−ヘルムホルツ積分、及びアンビソニックスでは球面調和関数展開）に基づくが、目的は一致し、特性は類似している。ラウドスピーカアレイの円形セットアップのための両方の原理の既存の人為構造の分析は、ＨＯＡ（高次アンビソニックス）、またはより正確に近距離補正されたＨＯＡ、及びＷＦＳが類似の制限を満たすという結論に達した。ＷＦＳとＨＯＡとの両方、及びそれらの避けられない欠陥は、認識のプロセス及び質に関していくらかの差を引き起こす。ＨＯＡにおいて、再生の次数が減少するにつれて、音場の損なわれた再構成は、おそらく、ローカリゼーション焦点のボケ、及び聴取エリアの大きさのある特定の縮小をもたらすだろう。
【０００４】
波動場合成（ＷＦＳ）またはアンビソニックス等の音声再生技法に関して、ラウドスピーカ信号は、それらの既知の位置においてラウドスピーカによって発される音場の重ね合わせが、ある特定の所望される音場を描写するように、基礎となる理論に従って典型的に決定される。典型的には、ラウドスピーカ信号は、自由場条件を想定して決定される。したがって、聴取部屋は著しい壁反射を示すべきでなく、これは、反射された波動場の反射された部分が再生された波動場を歪めることになるためである。車の内部等の多くのシナリオでは、そのような部屋特性を達成するのに必要な音響処理は、あまりに高価であるか、非実用的であり得る。
【発明の概要】
【課題を解決するための手段】
【０００５】
システムは、標的ラウドスピーカ―部屋―マイクロフォンシステムにおいて聴取位置の周りで音波動場を生成するように構成され、ラウドスピーカの各グループが少なくとも１つのラウドスピーカを有する、ラウドスピーカのＫ≧１のグループのラウドスピーカアレイは、聴取位置の周りに配置され、マイクロフォンの各グループが少なくとも１つのマイクロフォンを有する、マイクロフォンのＭ≧１のグループのマイクロフォンアレイは、聴取位置において配置される。本システムは、ラウドスピーカのグループの上流かつ入力信号パスの下流の信号パス内に配列され、制御可能な伝達関数を有する、Ｋ等化フィルタモジュールを含む。本システムは、マイクロフォンのグループの下流かつ入力信号パスの下流の信号パス内に配列され、マイクロフォンのＫグループからのエラー信号、及び入力信号パス上の入力信号に基づく適応型制御アルゴリズムに従って、Ｋ等化フィルタモジュールの伝達関数を制御する、Ｋフィルタ制御モジュールをさらに含む。マイクロフォンアレイは、聴取者の頭の周りに、人工の頭の周りもしくは中に、または剛体球の周りもしくは中に環状に配置されるマイクロフォンの少なくとも２つの第１のグループを含む。
【０００６】
方法は、標的ラウドスピーカ―部屋―マイクロフォンシステムにおいて聴取位置の周りで音波動場を生成するように構成され、ラウドスピーカの各グループが少なくとも１つのラウドスピーカを有する、ラウドスピーカのＫ≧１のグループのラウドスピーカアレイは、聴取位置の周りに配置され、マイクロフォンの各グループが少なくとも１つのマイクロフォンを有する、マイクロフォンのＭ≧１のグループのマイクロフォンアレイは、聴取位置において配置される。本方法は、ラウドスピーカのＫグループの上流かつ入力信号パスの下流の信号パス内で制御可能な伝達関数を用いてフィルタ処理を等化することを含む。本方法は、マイクロフォンのＫグループからのエラー信号、及び入力信号パス上の入力信号に基づく適応型制御アルゴリズムに従って、フィルタ処理を等化する制御可能な伝達関数の等化制御信号を用いて制御することをさらに含む。マイクロフォンアレイは、聴取者の頭の周りに、人工の頭の周りもしくは中に、または剛体球の周りもしくは中に環状に配置されるマイクロフォンの少なくとも２つの第１のグループを含む。
本明細書は、例えば、以下の項目も提供する。
（項目１）
標的ラウドスピーカ―部屋―マイクロフォンシステムにおいて聴取位置の周りで音波動場を生成するように構成されるシステムであって、ラウドスピーカの各グループが少なくとも１つのラウドスピーカを有する、ラウドスピーカのＫ≧１のグループのラウドスピーカアレイが、前記聴取位置の周りに配置され、マイクロフォンの各グループが少なくとも１つのマイクロフォンを有する、マイクロフォンのＭ≧１のグループのマイクロフォンアレイが、前記聴取位置において配置され、前記システムが、
前記ラウドスピーカのグループの上流かつ入力信号パスの下流の信号パス内に配列され、制御可能な伝達関数を有する、Ｋ等化フィルタモジュールと、
前記マイクロフォンのグループの下流かつ前記入力信号パスの下流の信号パス内に配列され、前記マイクロフォンのＫグループからのエラー信号、及び前記入力信号パス上の入力信号に基づく適応型制御アルゴリズムに従って、前記Ｋ等化フィルタモジュールの伝達関数を制御する、Ｋフィルタ制御モジュールと、を備え、
前記マイクロフォンアレイが、聴取者の頭の周りに、人工の頭の周りもしくは中に、または剛体球の周りもしくは中に環状に配置されるマイクロフォンの少なくとも２つの第１のグループを備える、前記システム。
（項目２）
聴取者の頭、人工の頭、または剛体球の周りに環状に配置されたマイクロフォンの少なくとも１つの第２のグループをさらに備える、項目１に記載の前記システム。
（項目３）
マイクロフォンの少なくとも２つの第３のグループをさらに備え、前記マイクロフォンの少なくとも２つの第３のグループ及び前記マイクロフォンの第１のグループが、聴取者の頭の周りに、人工の頭の周りもしくは中に、または剛体球の周りもしくは中に、一緒に球状に配置される、項目１に記載の前記システム。
（項目４）
前記マイクロフォンの球状に配置されたグループは、規則的な様式で配置される、項目３に記載の前記システム。
（項目５）
前記マイクロフォンの第１のグループの各々のマイクロフォンの周りに配置された、マイクロフォンの少なくとも３つの第４のグループをさらに備える、項目１に記載の前記システム。
（項目６）
前記マイクロフォンの少なくとも２つの第１のグループのうちの２つのグループは、前記標的ラウドスピーカ―部屋―マイクロフォンシステムにおいて、聴取者の耳がある位置、または、あるとされる位置に、あるいは、その位置の近くに配列される、項目１〜５のいずれか一項に記載の前記システム。
（項目７）
Ｍ一次パスモデリングモジュールが、前記マイクロフォンのグループの上流かつ前記入力パスの下流の信号パス内に配列され、
前記一次パスモデリングモジュールは、所望音源ラウドスピーカ―部屋―マイクロフォンシステムに存在する前記一次パスをモデリングするように構成され、
前記一次パスのモデリングは、前記音源ラウドスピーカ―部屋―マイクロフォンシステムにおける前記一次パスまたは前記固有モードの測定あるいは計算シミュレーションに基づく、項目１〜６のいずれか一項に記載の前記システム。
（項目８）
標的ラウドスピーカ―部屋―マイクロフォンシステムにおいて聴取位置の周りで音波動場を生成するように構成される方法であって、ラウドスピーカの各グループが少なくとも１つのラウドスピーカを有する、ラウドスピーカのＫ≧１のグループのラウドスピーカアレイが、前記聴取位置の周りに配置され、マイクロフォンの各グループが少なくとも１つのマイクロフォンを有する、マイクロフォンのＭ≧１のグループのマイクロフォンアレイが、前記聴取位置において配置され、前記方法が、
前記ラウドスピーカのＫグループの上流かつ入力信号パスの下流の信号パス内で制御可能な伝達関数を用いてフィルタ処理を等化することと、
前記マイクロフォンのＫグループからのエラー信号、及び前記入力信号パス上の入力信号に基づく適応型制御アルゴリズムに従って、フィルタ処理を等化する前記制御可能な伝達関数の等化制御信号を用いて制御することと、を含み、
前記マイクロフォンアレイが、聴取者の頭の周りに、人工の頭の周りもしくは中に、または剛体球の周りもしくは中に環状に配置されるマイクロフォンの少なくとも２つの第１のグループを備える、前記方法。
（項目９）
聴取者の頭、人工の頭、または剛体球の周りに環状に配置されたマイクロフォンの少なくとも１つの第２のグループをさらに備える、項目８に記載の前記方法。
（項目１０）
マイクロフォンの少なくとも２つの第３のグループをさらに備え、前記マイクロフォンの少なくとも２つの第３のグループ及び前記マイクロフォンの第１のグループが、聴取者の頭の周りに、人工の頭の周りもしくは中に、または剛体球の周りもしくは中に、一緒に球状に配置される、項目８に記載の前記方法。
（項目１１）
前記マイクロフォンの球状に配置されたグループは、規則的な様式で配置される、項目１０に記載の前記方法。
（項目１２）
前記マイクロフォンの第１のグループの各々のマイクロフォンの周りに配置された、マイクロフォンの少なくとも３つの第４のグループをさらに備える、項目８に記載の前記方法。
（項目１３）
前記マイクロフォンの少なくとも２つの第１のグループのうちの２つのグループは、前記標的ラウドスピーカ―部屋―マイクロフォンシステムにおいて、聴取者の耳がある位置、または、あるとされる位置に、あるいは、その位置の近くに配列される、項目８〜１２のいずれか一項に記載の前記方法。
（項目１４）
前記マイクロフォンのグループの上流かつ前記入力パスの下流の信号パス内で、所望音源ラウドスピーカ―部屋―マイクロフォンシステムに存在する一次パスをモデリングすることをさらに含み、
前記一次パスのモデリングは、前記音源ラウドスピーカ―部屋―マイクロフォンシステムにおける前記一次パスまたは前記固有モードの測定あるいは計算シミュレーションに基づく、項目８〜１３のいずれか一項に記載の前記方法。
【０００７】
他のシステム、方法、特徴、及び利点は、以下の図面及び詳細な説明の検討により、当業者に明らかであるか、または明らかとなるであろう。すべてのそのような追加のシステム、方法、特徴、及び利点が、その説明内に含まれ、本発明の範囲内に含まれ、かつ以下の特許請求の範囲によって保護されることが意図される。
【０００８】
本システム及び方法は、以下の図面及び説明を参照してより良く理解され得る。図面の構成要素が、必ずしも一定の尺度では描かれておらず、むしろ、本発明の原理を図解することに重点が置かれる。また、図面において、同様の参照符号は、異なる図を通して対応する部分を指す。
【図面の簡単な説明】
【０００９】
【図１】単純音響多重入出力（ＭＩＭＯ）システムを図解しているフローチャートであり、これはＭ記録チャネル（マイクロフォン）とＫ出力チャネル（ラウドスピーカ）とを有し、多重エラー最小二乗平均（ＭＥＬＭＳ）システムまたは方法を含む。
【図２】図１に示されるＭＩＭＯシステムで適用可能な１×２×２ＭＥＬＭＳシステムまたは方法を図解しているフローチャートである。
【図３】制限群遅延関数（周波数に対する群遅延差）の形で事前呼び出し制約曲線を図解している図である。
【図４】図３に示される曲線から導き出される制限位相関数（周波数に対する位相差曲線）の曲線を図解している図である。
【図５】図４に示される曲線に従って設計されたオールパスフィルタのインパルス応答を図解している増幅時間図である。
【図６】図５に示されるオールパスフィルタの振幅及び位相挙動を図解しているボード線図である。
【図７】車両において個々のサウンドゾーンを生成するセットアップを図解しているブロック図である。
【図８】より多くの遠距離ラウドスピーカに唯一基づくＭＩＭＯシステムを使用する、図７に示されるセットアップにおける４つのゾーン（位置）の各々での振幅周波数応答を図解している振幅周波数図である。
【図９】図８に示される図の基礎を形成するＭＩＭＯシステムのイコライザフィルタの対応するインパルス応答を図解している増幅時間図（サンプルの時間）である。
【図１０】図７に示されるセットアップにおいて適用可能な一体型近距離ラウドスピーカを有するヘッドレストの概要図である。
【図１１】図７に示されるセットアップの近距離ラウドスピーカの代替の配列の概要図である。
【図１２】図１１に示される代替の配列をさらに詳細に図解している概要図である。
【図１３】半分のフィルタ長のモデリング遅延、及び近距離ラウドスピーカのみが使用される場合の、図７に示されるセットアップの４つの位置における周波数特性を図解している振幅周波数図である。
【図１４】ＭＩＭＯシステムの等化フィルタに対応しているインパルス応答を図解している増幅時間図であり、それは、図１３に示される４つの所望位置で周波数特性をもたらす。
【図１５】長さを縮小したモデリング遅延、及び近距離ラウドスピーカのみが使用される場合の、図７に示されるセットアップの４つの位置における周波数特性を図解している振幅周波数図である。
【図１６】ＭＩＭＯシステムの等化フィルタに対応しているインパルス応答を図解している増幅時間図であり、それは、図１５に示される４つの所望位置で周波数特性をもたらす。
【図１７】長さを縮小したモデリング遅延及びシステム（すなわち、遠距離）ラウドスピーカのみが使用される場合の、図７に示されるセットアップの４つの位置における周波数特性を図解している振幅周波数図である。
【図１８】ＭＩＭＯシステムの等化フィルタに対応しているインパルス応答を図解している増幅時間図であり、それは、図１７に示される４つの所望位置で周波数特性をもたらす。
【図１９】モデリング遅延の代わりに事前呼び出し制約を実装しているオールパスフィルタ、及び近距離ラウドスピーカのみが使用される場合の、図７に示されるセットアップの４つの位置における周波数特性を図解している振幅周波数図である。
【図２０】ＭＩＭＯシステムの等化フィルタに対応しているインパルス応答を図解している増幅時間図であり、それは、図１９に示される４つの所望位置で周波数特性をもたらす。
【図２１】対数領域において典型的な振幅制約の上下の閾値を図解している増幅周波数図である。
【図２２】図２に関連して上述したシステム及び方法に基づく振幅制約を有するＭＥＬＭＳシステムまたは方法のフローチャートである。
【図２３】図２２で示されるように、振幅制約を使用しているシステムまたは方法のボード線図（振幅周波数応答、位相周波数応答）である。
【図２４】振幅制約を使用していないシステムまたは方法のボード線図（振幅周波数応答、位相周波数応答）である。
【図２５】振幅及び事前呼び出し制約と組み合わせた８つのより遠距離のラウドスピーカのみが使用される場合の、図７に示されるセットアップの４つの位置における周波数特性を図解している振幅周波数図である。
【図２６】ＭＩＭＯシステムの等化フィルタに対応しているインパルス応答を図解している増幅時間図であり、それは、図２５に示される４つの所望位置で周波数特性をもたらす。
【図２７】ガウスウィンドウでのウィンドウ表示に基づく事前呼び出し制約及び振幅制約と組み合わせたより多くの遠距離ラウドスピーカのみが使用される場合の、図７に示されるセットアップの４つの位置における周波数特性を図解している振幅周波数図である。
【図２８】ＭＩＭＯシステムの等化フィルタに対応しているインパルス応答を図解している増幅時間図であり、それは、図２７に示される４つの所望位置で周波数特性をもたらす。
【図２９】典型的なガウスウィンドウを図解している増幅時間図である。
【図３０】図２に関連して上述したシステム及び方法に基づくウィンドウ表示振幅制約を有するＭＥＬＭＳシステムまたは方法のフローチャートである。
【図３１】修正ガウスウィンドウでのウィンドウ表示に基づく事前呼び出し制約及び振幅制約と組み合わせたより遠距離のラウドスピーカのみが使用される場合の、システムまたは方法のボード線図（振幅周波数応答、位相周波数応答）である。
【図３２】典型的な修正ガウスウィンドウを図解している増幅時間図である。
【図３３】図２２に関連して上述したシステム及び方法に基づく空間制約を有するＭＥＬＭＳシステムまたは方法のフローチャートである。
【図３４】図２２に関連して上述したシステム及び方法に基づく代替の空間制約を有するＭＥＬＭＳシステムまたは方法のフローチャートである。
【図３５】図３４に関連して上述したシステム及び方法に基づく周波数依存ゲイン制約ＬＭＳを有するＭＥＬＭＳシステムまたは方法のフローチャートである。
【図３６】クロスオーバーフィルタを使用する場合、さらに４つの遠距離ラウドスピーカに対応している周波数依存ゲイン制約を図解している振幅周波数図である。
【図３７】事前呼び出し制約、ウィンドウ表示の振幅制約、及び適応周波数（依存ゲイン）制約と組み合わせたより遠距離のラウドスピーカのみが使用される場合の、図７に示されるセットアップの４つの位置における周波数特性を図解している振幅周波数図である。
【図３８】ＭＩＭＯシステムの等化フィルタに対応しているインパルス応答を図解している増幅時間図であり、それは、図３７に示される４つの所望位置で周波数特性をもたらす。
【図３９】事前呼び出し制約、ウィンドウ表示の振幅制約、及び適応周波数（依存ゲイン）制約と組み合わせたより遠距離のラウドスピーカのみが使用される場合の、システムまたは方法のボード線図である。
【図４０】代替の周波数（依存ゲイン）制約を有する、図３４に関連して上述したシステム及び方法に基づくＭＥＬＭＳシステムまたは方法のフローチャートである。
【図４１】室内のインパルス応答における事前呼び出し制約、ウィンドウ表示の振幅制約、及び代替の周波数（依存ゲイン）制約と組み合わせたより遠距離のラウドスピーカのみが使用される場合の、適用された等化フィルタを有する、図７に示されるセットアップの４つの位置における周波数特性を図解している振幅周波数図である。
【図４２】ＭＩＭＯシステムの等化フィルタに対応しているインパルス応答を図解している増幅時間図であり、それは、図４１に示される４つの所望位置で周波数特性をもたらす。
【図４３】室内のインパルス応答における事前呼び出し制約、ウィンドウ表示の振幅制約、及び代替の周波数（依存ゲイン）制約と組み合わせたより遠距離のラウドスピーカのみが使用される場合の、図７に示されるセットアップに適用された等化フィルタのボード線図である。
【図４４】事前マスキング、同時マスキング、及び事後マスキングの経時の音圧レベルを図解している概要図である。
【図４５】周波数に対する群遅延差として制限群遅延関数の形で事後呼び出し制約曲線を図解している図である。
【図４６】図４５に示される曲線から導き出される周波数に対する位相差曲線として制限位相関数の曲線を図解している図である。
【図４７】典型的な時間制限関数の曲線を図解しているレベル時間図である。
【図４８】組み合わされた振幅事後呼び出し制約を有する、図４０に関連して上述したシステム及び方法に基づくＭＥＬＭＳシステムまたは方法のフローチャートである。
【図４９】事前呼び出し制約、振幅制約に基づく非線形平滑化、周波数（依存ゲイン）制約、及び事後呼び出し制約と組み合わせたより遠距離のラウドスピーカのみが使用される場合の、適用された等化フィルタを有する、図７に示されるセットアップの４つの位置における周波数特性を図解している振幅周波数図である。
【図５０】ＭＩＭＯシステムの等化フィルタに対応しているインパルス応答を図解している増幅時間図であり、それは、図４９に示される４つの所望位置で周波数特性をもたらす。
【図５１】事前呼び出し制約、振幅制約に基づく非線形平滑化、周波数（依存ゲイン）制約、及び事後呼び出し制約と組み合わせたより遠距離のラウドスピーカのみが使用される場合の、図７に示されるセットアップに適用された等化フィルタのボード線図である。
【図５２】典型的なレベル制限関数の曲線を図解している振幅時間図である。
【図５３】図５２に示される振幅時間曲線に対応している増幅時間図である。
【図５４】３つの異なる周波数で指数ウィンドウを有する典型的なウィンドウ関数の曲線を図解している振幅時間図である。
【図５５】事前呼び出し制約、振幅制約、周波数（依存ゲイン）制約、及びウィンドウ表示の事後呼び出し制約と組み合わせたより遠距離のラウドスピーカのみが使用される場合の、適用された等化フィルタを有する、図７に示されるセットアップの４つの位置における周波数特性を図解している振幅周波数図である。
【図５６】ＭＩＭＯシステムの等化フィルタのインパルス応答を図解している増幅時間図であり、それは、図５５に示される４つの所望位置で周波数特性をもたらす。
【図５７】事前呼び出し制約、振幅制約、周波数（依存ゲイン）制約、及びウィンドウ表示の事後呼び出し制約と組み合わせたより遠距離のラウドスピーカのみが使用される場合の、適用された等化フィルタを有する、図７に示されるセットアップに適用された等化フィルタのボード線図である。
【図５８】明るいゾーンの調性のための典型的な標的関数を図解している振幅周波数図である。
【図５９】適用されたウィンドウ表示を有する、及び有しない典型的な等化フィルタの線形領域においてインパルス応答を図解している増幅時間図である。
【図６０】適用されたウィンドウ表示を有する、及び有しない典型的な等化フィルタの対数領域においてインパルス応答を図解している振幅時間図である。
【図６１】事前呼び出し制約、振幅制約、周波数（依存ゲイン）制約、及びウィンドウ表示の事後呼び出し制約と組み合わせたすべてのラウドスピーカが使用され、明るいゾーンにおける応答が、図５８で描写される標的関数に調節されるとき、適用された等化フィルタを有する、図７に示されるセットアップの４つの位置における周波数特性を図解している振幅周波数図である。
【図６２】ＭＩＭＯシステムの等化フィルタのインパルス応答を図解している増幅時間図であり、それは、図６１に示される４つの所望位置で周波数特性をもたらす。
【図６３】修正ＭＥＬＭＳアルゴリズムを使用して、波動場及び仮想線源を再生するシステム及び方法のフローチャートである。
【図６４】修正ＭＥＬＭＳアルゴリズムを使用して、５．１ラウドスピーカセットアップに対応している仮想線源を再生するシステム及び方法のフローチャートである。
【図６５】車両の運転者位置で、５．１のラウドスピーカセットアップに対応している仮想線源を再生するための等化フィルタモジュール配列のフローチャートである。
【図６６】修正ＭＥＬＭＳアルゴリズムを使用して、車両の４つのすべての位置で５．１ラウドスピーカセットアップに対応している仮想音源を生成するシステム及び方法のフローチャートである。
【図６７】第４の次数までの球面調和関数を図解している図である。
【図６８】修正ＭＥＬＭＳアルゴリズムを使用して、異なる位置での標的の部屋において球面調和関数を生成するシステム及び方法のフローチャートである。
【図６９】ヘッドバンドの上に配置された、２次元の測定マイクロフォンアレイを図解している概略図である。
【図７０】剛体球の上に配置された、３次元測定マイクロフォンアレイを図解している概略図である。
【図７１】２つの耳カップの上に配置された、３次元測定マイクロフォンアレイを図解している概略図である。
【図７２】統合された事後呼び出し制約を振幅制約に提供する典型的なプロセスを図解しているプロセスチャートである。
【発明を実施するための形態】
【００１０】
図１は、多重入出力（ＭＩＭＯ）システムを等化するシステム及び方法の信号フローチャートであり、それは、多数の出力（例えば、出力信号をラウドスピーカのＫ≧１グループに供給する出力チャネル）、及び多数の（エラー）入力（例えば、入力信号をマイクロフォンのＭ≧１グループから受信するチャネルを記録すること）を有し得る。グループは、単一チャネル（すなわち、１つの出力チャネルまたは１つの記録チャネル）に接続される１つ以上のラウドスピーカまたはマイクロフォンを含む。対応する部屋またはラウドスピーカ―部屋―マイクロフォンシステム（少なくとも１つのラウドスピーカ及び少なくとも１つのマイクロフォンが配列される部屋）が線形で、時不変な、例えば、その部屋音響インパルス応答によって説明され得ると仮定される。さらに、モノ入力信号ｘ（ｎ）等のＱ原入力信号は、ＭＩＭＯシステムの（原信号）入力に供給され得る。ＭＩＭＯシステムは、等化のために多重エラー最小二乗平均（ＭＥＬＭＳ）アルゴリズムを使用し得るが、（修正された）最小二乗平均（ＬＭＳ）、再帰的最小二乗（ＲＬＳ）、等の任意の他の適応型制御アルゴリズムも利用し得る。入力信号ｘ（ｎ）は、異なる位置で１つのラウドスピーカからＭマイクロフォンへの途中で、一次パスフィルタ行列Ｐ（ｚ）によって表示されるＭ一次パス１０１によってフィルタ処理され、一次パス１０１の端部（すなわち、Ｍマイクロフォン）でＭ所望信号ｄ（ｎ）を提供する。
【００１１】
ＭＥＬＭＳ処理モジュール１０６内で実装され得るＭＥＬＭＳアルゴリズムを通じて、等化フィルタモジュール１０３によって実装されるフィルタ行列Ｗ（ｚ）は、制御されて、元々の入力信号ｘ（ｎ）を変更する。これによって、Ｋラウドスピーカに供給されて、二次パスフィルタ行列Ｓ（ｚ）を用いてフィルタモジュール１０４によってフィルタ処理される結果として生じるＫ出力信号は、所望信号ｄ（ｎ）と整合する。したがって、ＭＥＬＭＳアルゴリズムは、二次パスフィルタ行列
【化１】
0006695808.tif 000002
を用いてフィルタ処理される入力信号ｘ（ｎ）を評価し、それは、フィルタモジュール１０２内で実装されて、Ｋ×Ｍフィルタ処理された入力信号、及びＭエラー信号ｅ（ｎ）を出力する。エラー信号ｅ（ｎ）は、減算器モジュール１０５によって提供され、それは、Ｍマイクロフォン信号ｙ’（ｎ）をＭ所望信号ｄ（ｎ）から減算する。Ｍマイクロフォン信号ｙ’（ｎ）を有するＭ記録チャネルは、二次パスフィルタ行列Ｓ（ｚ）を用いてフィルタ処理されたＫラウドスピーカ信号ｙ（ｎ）を有するＫ出力チャネルであり、それは、音響場面を表示しているフィルタモジュール１０４内に実装される。モジュール及びパスは、ハードウェア、ソフトウェア、及び／または音響パスのうちの少なくとも１つであると理解される。
【００１２】
ＭＥＬＭＳアルゴリズムは、最適の最小二乗平均（ＬＭＳ）解法を得るための反復型アルゴリズムである。ＭＥＬＭＳアルゴリズムの適応的手法は、フィルタの現場の設計を考慮に入れ、また、変化が電気音響伝達関数で発生するときはいつでも、便利な方法がフィルタを再調整することを可能にする。ＭＥＬＭＳアルゴリズムは、性能指数の最小値を探すために、最速降下手法を利用する。これは、負の勾配
【化２】
0006695808.tif 000003
に比例する量によってフィルタの係数を連続的に更新することによって達成され、その勾配に従って
【化３】
0006695808.tif 000004
であり、式中、μは、収束速度及び最終誤調整を制御するステップ幅である。近似値は、その期待値の代わりに、勾配
【化４】
0006695808.tif 000005
の瞬時値を使用して、ＬＭＳアルゴリズムに至る、ベクトル  を更新する、かかるＬＭＳアルゴリズムにあり得る。
【００１３】
図２は、典型的なＱ×Ｋ×Ｍ  ＭＥＬＭＳシステムまたは方法の信号フローチャートであり、Ｑは１であり、Ｋは２であり、Ｍは２であり、それは、マイクロフォン２１５において明るいゾーンを、マイクロフォン２１６において暗いゾーンを創出するために調節される。すなわち、それは個々のサウンドゾーンの目的のために調節される。「明るいゾーン」は、エリアを表示し、そこでは、ほとんど無音の「暗いゾーン」と対照的に、音場が生成される。入力信号ｘ（ｎ）は、伝達関数
【化５】
0006695808.tif 000006
を用いて２×２二次パスフィルタ行列を形成する４つのフィルタモジュール２０１〜２０４に供給され、また、伝達関数Ｗ１（ｚ）とＷ２（ｚ）を用いてフィルタ行列を形成する２つのフィルタモジュール２０５及び２０６に供給される。フィルタモジュール２０５及び２０６は、最小二乗平均（ＬＭＳ）モジュール２０７及び２０８によって制御され、それによって、モジュール２０７は、モジュール２０１及び２０２ならびにエラー信号ｅ１（ｎ）及びｅ２（ｎ）から信号を受信し、モジュール２０８は、モジュール２０３及び２０４ならびにエラー信号ｅ１（ｎ）及びｅ２（ｎ）から信号を受信する。モジュール２０５及び２０６は、信号ｙ１（ｎ）及びｙ２（ｎ）をラウドスピーカ２０９及び２１０に提供する。信号ｙ１（ｎ）は、ラウドスピーカ２０９によって、二次パス２１１及び２１２を介して、それぞれマイクロフォン２１５及び２１６に放射される。信号ｙ２（ｎ）は、ラウドスピーカ２１０によって、二次パス２１３及び２１４を介して、それぞれマイクロフォン２１５及び２１６に放射される。マイクロフォン２１５は、エラー信号ｅ１（ｎ）及びｅ２（ｎ）を受信信号ｙ１（ｎ）、ｙ２（ｎ）、及び所望信号ｄ１（ｎ）から生成する。伝達関数
【化６】
0006695808.tif 000007
を有するモジュール２０１〜２０４は、伝達関数Ｓ１１（ｚ）、Ｓ１２（ｚ）、Ｓ２１（ｚ）、及びＳ２２（ｚ）を有する様々な二次パス２１１〜２１４をモデリングする。
【００１４】
さらに、事前呼び出し制約モジュール２１７は、マイクロフォン２１５に電気的または音響的所望信号ｄ１（ｎ）を供給し得、該信号は、入力信号ｘ（ｎ）から生成され、合計された信号に加えられ、マイクロフォン２１５によって二次パス２１１及び２１３の端部において受信され、最終的に、そこで明るいゾーンの創出をもたらす一方、かかる所望信号がエラー信号ｅ２（ｎ）の生成の場合失われており、それゆえに、マイクロフォン２１６において暗いゾーンの創出をもたらす。モデリング遅延（その位相遅延は周波数に対して線形である）とは対照的に、事前呼び出し制約は、事前マスキングとして知られている人間の耳の音響心理学的な特性をモデリングするために、周波数に対して非線形の位相に基づく。周波数に対する群遅延差の逆指数関数を描写している典型的なグラフが存在し、事前マスキング閾値としての周波数に対する位相差の対応する逆指数関数が、図４に示される。「事前マスキング」閾値は、等化フィルタ内で事前呼び出しを避ける制約として、本明細書中で理解される。
【００１５】
制限群遅延関数（周波数に対する群遅延差）の形で制約を示す図３から分かるように、周波数が増加するとき、事前マスキング閾値は減少する。約１００Ｈｚの周波数である間、約２０ｍｓの群遅延差によって表示される事前呼び出しは、聴取者にとって受容可能である一方、約１，５００Ｈｚの周波数において、閾値は約１．５ｍｓで、約１ｍｓの漸近エンド値でより高い周波数に到達し得る。図３に示される曲線は、制限位相関数に容易に変形され得、それは、周波数に対する位相差曲線として図４に示される。制限位相差関数を統合することによって、対応する位相周波数特性は派生され得る。この位相周波数特性は、次いで、図４に示される曲線の積分である位相周波数特性を用いて、オールパスフィルタの設計の基礎を形成し得る。それに応じて設計されたオールパスフィルタのインパルス応答は、図５に描写され、その対応するボード線図は図６に描写される。
【００１６】
ここで図７を参照して、ＭＥＬＭＳアルゴリズムを使用している車両７０５における個々のサウンドゾーンを生成するセットアップは、前部左ＦＬＰｏｓ、前部右ＦＲＰｏｓ、後部左ＲＬＰｏｓ、及び後部右ＲＲＰｏｓに配列された聴取位置（例えば、車両における席位置）に対応している４つのサウンドゾーン７０１〜７０４を含み得る。セットアップにおいて、８つのシステムラウドスピーカは、サウンドゾーン７０１〜７０４からより遠く離れて配列される。例えば、２つのラウドスピーカであるツィータ／中音域ラウドスピーカＦＬＳｐｋｒＨ及びウーファＦＬＳｐｋｒＬは、前方左位置ＦＬＰｏｓに最も近く配列され、対応して、ツィータ／中音域ラウドスピーカＦＲＳｐｋｒＨ及びウーファＦＲＳｐｋｒＬは、前方右位置ＦＲＰｏｓに最も近く配列される。さらに、ブロードバンドラウドスピーカＳＬＳｐｋｒ及びＳＲＳｐｋｒは、それぞれ位置ＲＬＰｏｓ及びＲＲＰｏｓに対応して、サウンドゾーンの隣に配列され得る。サブウーファーＲＬＳｐｋｒ及びＲＲＳｐｋｒは、車両内部の後部シェルフに配置され得、それは、サブウーファーＲＬＳｐｋｒ及びＲＲＳｐｋｒによって生成された低周波音の性質のために、前部左ＦＬＰｏｓ、前部右ＦＲＰｏｓ、後部左ＲＬＰｏｓ、及び後部右ＲＲＰｏｓの４つのすべての聴取位置に衝撃を与える。追加として、車両７０５は、さらに他のラウドスピーカを備え、例えば、車両のヘッドレストにおいて、サウンドゾーン７０１〜７０４の近くに配列され得る。追加のラウドスピーカは、ゾーン７０１のためのラウドスピーカＦＬＬＳｐｋｒ及びＦＬＲＳｐｋｒ；ゾーン７０２のためのラウドスピーカＦＲＬＳｐｋｒ及びＦＲＲＳｐｋｒ；ゾーン７０３のためのラウドスピーカＲＬＬＳｐｋｒ及びＲＬＲＳｐｋｒ；ならびに、ゾーン７０４のためのラウドスピーカＲＲＬＳｐｋｒ及びＲＲＲＳｐｋｒである。図７に示されるセットアップのすべてのラウドスピーカは、ラウドスピーカＳＬＳｐｋｒを除くそれぞれのグループ（１つのラウドスピーカを有するグループ）を形成し、ラウドスピーカＳＬＳｐｋｒは、受動的に結合されたバス及びツィータスピーカ、ならびにラウドスピーカＳＲＳｐｋｒのグループを形成し、ラウドスピーカＳＲＳｐｋｒは、受動的に結合されたバス及びツィータスピーカ（２つのラウドスピーカを有するグループ）のグループを形成する。代わりに、または追加として、ウーファＦＬＳｐｋｒＬは、ツィータ／中音域ラウドスピーカＦＬＳｐｋｒＨと共に、グループを形成し得、ウーファＦＲＳｐｋｒＬは、ツィータ／中音域ラウドスピーカＦＲＳｐｋｒＨ（２つのラウドスピーカを有するグループ）と共に、グループを形成し得る。
【００１７】
図８は、図７に示されるセットアップにおいて７０１〜７０４（位置）の４つのゾーンの各々で振幅周波数応答を図解している図であり、イコライザフィルタ、音響心理学的誘因事前呼び出し制約モジュール及びシステムラウドスピーカ、すなわち、ＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒを使用している。図９は、それぞれのラウドスピーカパスにおいて所望クロストークキャンセルを生成するイコライザフィルタの対応するインパルス応答を図解している増幅時間図（サンプルの時間）である。モデリング遅延の単純な使用と対照的に、音響心理学的誘因事前呼び出し制約の使用は、事前呼び出しの十分な減衰を提供する。音響効果において、事前呼び出しは、実音インパルスが発生する前に、騒音の出現を指定する。図９から分かるように、等化フィルタのフィルタ係数、ひいては等化フィルタのインパルス応答は、小さな事前呼び出しだけを示す。すべての所望サウンドゾーンにおける結果として生じる振幅周波数応答がより高い周波数（例えば、４００Ｈｚを超える）で悪化する傾向があることが、追加として、図８から分かる。
【００１８】
図１０に示されるように、ラウドスピーカ１００４及び１００５は、所望個々のサウンドゾーンを生成するために、聴取者の耳１００２に近い距離ｄ（例えば、０．５ｍ未満、または０．４もしくは０．３ｍ）に配列され得る。ラウドスピーカ１００４及び１００５をかかる近さに配列するための１つの典型的な方法は、聴取者の頭１００１がもたれ得るヘッドレスト１００３にラウドスピーカ１００４と１００５を統合することである。別の典型的な方法は、図１１及び１２に示されるように、天井１１０３に（指令）ラウドスピーカ１１０１及び１１０２を配置することである。ラウドスピーカのための他の位置は、ヘッドレストまたは天井のラウドスピーカと組み合わせた、車両のＢピラーまたはＣピラーであり得る。代わりに、または追加として、指向性ラウドスピーカは、ラウドスピーカ１００４及び１００５の代わりに使用されるか、ラウドスピーカ１００４及び１００５と同じ位置または別の位置で、ラウドスピーカ１００４及び１００５と組み合わされ得る。
【００１９】
再び図７に示されるセットアップを参照して、追加のラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒは、位置ＦＬＰｏｓ、ＦＲＰｏｓ、ＲＬＰｏｓ、及びＲＲＰｏｓにおける席のヘッドレストに配置され得る。図１３から分かるように、聴取者の耳に近い距離に配列されるラウドスピーカ、例えば、追加のラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒのみは、より高い周波数で向上された振幅周波数挙動を示す。クロストークキャンセルは、図１３の上部曲線と３つの下部曲線との間の差である。しかしながら、ラウドスピーカと耳との間の近距離（例えば０．５ｍ未満、または０．３または０．２ｍ未満でさえ）のために、フィルタ係数、及びひいてはすべての等化フィルタのインパルス応答を図解する図１４に示されるように、ヘッドレストラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒのみを使用するとき、かつ、事前呼び出し制約、及び遅延時間がフィルタ長さの半分に対応し得るモデリング遅延の代わりに、クロストークキャンセルを提供するために、事前呼び出しは、比較的低い。事前呼び出しが、メインインパルスの左側の騒音として、図１４に示される。聴取者の耳までの近い距離にラウドスピーカを配置することは、図１５及び１６で分かるように、モデリング遅延が音響心理学的観点から十分に短くなるならば、いくつかの用途において、十分な事前呼び出し抑制及び十分なクロストークキャンセルをすでに提供し得る。
【００２０】
より遠距離でないラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒがモデリング遅延の代わりに事前呼び出し制約と組み合わされるとき、事前呼び出しは、より高い周波数で、位置ＦＬＰｏｓ、ＦＲＰｏｓ、ＲＬＰｏｓ、及びＲＲＰｏｓ（すなわち、中間振幅差）でクロストークキャンセルを悪化させることなく、さらに減少させられ得る。より遠距離のラウドスピーカＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒを、より遠距離でないラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒの代わりに使用し、そして、短縮されたモデリング遅延（図１５及び１６に関連して上述した実施例と同じ遅延）を、事前呼び出し制約の代わりに使用することは、図１７及び１８において分かるように、より悪いクロストークキャンセルを示す。図１７は、４つのすべてのサウンドゾーン７０１〜７０４における振幅周波数応答を図解している図であり、図１５及び１６に関連して説明される実施例のように、等化フィルタ及び同じモデリング遅延と組み合わせて、位置ＦＬＰｏｓ、ＦＲＰｏｓ、ＲＬＰｏｓ、及びＲＲＰｏｓから０．５ｍを超えて離れたところに配置されたラウドスピーカＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒのみを使用している。
【００２１】
しかしながら、図７に示されるセットアップのより遠距離のラウドスピーカを有するヘッドレストに配列される、ラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒ、すなわち、ラウドスピーカＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒを組み合わせて、図１９及び２０で示されるように、縮小した長さを有するモデリング遅延の代わりに事前呼び出し制約を使用することは、事前呼び出しをさらに減少させ（図１８及び２０の比較）て、位置ＦＬＰｏｓ、ＦＲＰｏｓ、ＲＬＰｏｓ、及びＲＲＰｏｓにおいてクロストークキャンセルを増加し（図１７及び１９の比較）得る。
【００２２】
連続曲線の代わりに、図３〜５に示されるように、階段状曲線も使用され得、該曲線では、例えば、階段幅が、バーク尺度またはメル尺度等の音響心理学的な態様に従って周波数依存であるように選択され得る。バーク尺度は、１〜２４の範囲に及び、聴力の最初の２４の臨界帯域に対応する音響心理学的な尺度である。それは、メル尺度に関するが、メル尺度よりいくぶん普及していない。それは、時間拡散として知られる分光低下または狭帯域ピークが、伝達関数の振幅周波数特性内に発生するとき、聴取者によって騒音として知覚される。等化フィルタは、したがって、制御動作の間、円滑化され得るか、または、品質因子等のフィルタのある特定のパラメータは、不必要な騒音を減少させるために制限され得る。平滑化の場合には、人間の聴力の臨界帯域に近似する非線形平滑化が使用され得る。非線形平滑フィルタは、以下の方程式によって説明され得る。
【００２３】
【数１】
0006695808.tif 000008
【００２４】
式中、ｎ＝［０、…、Ｎ−１］は、平滑化された信号の離散周波数インデックスに関し、Ｎは、高速フーリエ変換（ＦＦＴ）の長さに関し、
【化７】
0006695808.tif 000009
は、次の整数に切り上げることに関し、αは、平滑化係数に関し（例えば、（オクターブ／３−平滑化）は、α＝２１／３をもたらし、式中、
【化８】
0006695808.tif 000010
は、Ａ（ｊω）の平滑化された値である）、ｋは、非平滑化された値Ａ（ｊω）（ｋ∈［０、…、Ｎ―１］）の離散周波数インデックスである。
【００２５】
上記の方程式から分かるように、非線形平滑化は、基本的に平均周波数依存演算であり、そのスペクトル限界は、周波数に対する選択された非線形平滑化係数αに依存して変化する。この原理をＭＥＬＭＳアルゴリズムに適用するために、周波数に対するある特定の最大及び最小レベルの閾値が、対数領域の以下の方程式に従って、ビン（ＦＦＴの分光単位）あたりに維持されるように、アルゴリズムは修正される。
【００２６】
【数２】
0006695808.tif 000011
【００２７】
【数３】
0006695808.tif 000012
【００２８】
式中、ｆ＝［０、…、ｆｓ／２］は、長さ（Ｎ／２＋１）の離散周波数ベクトルであり、Ｎは、ＦＦＴの長さであり、ｆｓは、サンプリング頻度であり、ＭａｘＧａｉｎｄＢは、［ｄＢ］の最大有効増加であり、ＭｉｎＧａｉｎｄＢは、［ｄＢ］の最小有効減少である。
【００２９】
線形領域において、上記方程式は以下のように読み取られる。
【００３０】
【数４】
0006695808.tif 000013
【００３１】
【数５】
0006695808.tif 000014
【００３２】
上記の方程式から、スペクトルピークを抑制し、音響心理学的に受容可能な方法で低下する非線形平滑化等化フィルタを生成するために、ＭＥＬＭＳアルゴリズムに適用可能である振幅制約が、導き出され得る。等化フィルタの典型的な振幅周波数制約は、図２１に示され、上限Ｕは最大有効増加に対応し
【化９】
0006695808.tif 000015
、下限Ｌは最小許容減少に対応する
【化１０】
0006695808.tif 000016
。図２１に示される図は、パラメータｆｓ＝５，５１２Ｈｚ、α＝２１／２４、ＭａｘＧａｉｎｄＢ＝９ｄＢ、及びＭｉｎＧａｉｎｄＢ＝−１８ｄＢに基づく対数領域において典型的な振幅制約の上側閾値Ｕ及び下側閾値Ｌを描写する。図に示されるように、最大許容増加（例えば、ＭａｘＧａｉｎｄＢ＝９ｄＢ）及び最小許容減少（例えば、ＭｉｎＧａｉｎｄＢ＝−１８ｄＢ）は下部周波数（例えば、３５Ｈｚ未満）においてのみ達成される。これは、下部周波数が、非線形平滑化係数（例えば、α＝２１／２４）に従って、増加する周波数と共に減少する最大ダイナミックを有し、それによって、人間の耳の周波数感度に従って、上側閾値Ｕの増加及び下側閾値Ｌの減少が、周波数に対して指数関数的であることを意味する。
【００３３】
各々の繰り返しステップにおいて、下記方程式によって説明されるように、ＭＥＬＭＳアルゴリズムに基づく等化フィルタは、非線形平滑化を受ける。
【００３４】
平滑化：
【００３５】
【数６】
0006695808.tif 000017
【００３６】
【数７】
0006695808.tif 000018
【００３７】
【数８】
0006695808.tif 000019
【００３８】
両側波帯スペクトル：
【００３９】
【数９】
0006695808.tif 000020
【００４０】
【化１１】
0006695808.tif 000021
の複素共役である。
【００４１】
複素スペクトル：
【００４２】
【数１０】
0006695808.tif 000022
【００４３】
逆高速フーリエ変換（ＩＦＦＴ）のインパルス応答：
【００４４】
【数１１】
0006695808.tif 000023
【００４５】
適切に修正されたＭＥＬＭＳアルゴリズムのフローチャートは図２に関連して上述したシステム及び方法に基づいて図２２に示される。振幅制約モジュール２２０１は、ＬＭＳモジュール２０７と等価フィルタモジュール２０５との間に配列される。別の振幅制約モジュール２２０２は、ＬＭＳモジュール２０８と等価フィルタモジュール２０６との間に配列される。振幅制約は、（図２２に示されるように）事前呼び出し制約に関連して使用され得るが、また、スタンドアローン用途で、他の音響心理学的誘因制約に関連して、または、モデリング遅延に関連して使用され得る。
【００４６】
しかしながら、振幅制約を事前呼び出し制約と組み合わせるとき、図２３に示されるボード線図（振幅周波数応答、位相周波数応答）を通じて図解される向上は、図２４に示される対応する結果として生じるボード線図によって図解されるように、振幅制約なしでシステム及び方法と対照的に達成され得る。位相周波数応答が本質的に変えられない一方、振幅制約を有するシステム及び方法の振幅周波数応答だけが、非線形平滑化を受けることは明白である。さらに、振幅制約及び事前呼び出し制約を有するシステム及び方法は、（図８と比較して）図２５から分かるように、クロストークキャンセルパフォーマンスに対する悪影響を及ぼさないが、図９と比較して図２６に示されるように、事後呼び出しは悪化し得る。音響効果において、事後呼び出しは、実音インパルスが発生した後の騒音の出現を指定し、メインインパルスの右側の騒音として、図２６において示される。
【００４７】
等化フィルタの分光特性を円滑化する代替の方法は、時間領域において等化フィルタ係数を直接ウィンドウ表示することであり得る。ウィンドウ表示と共に、平滑化は、上述したシステム及び方法と同程度に音響心理学的な規格に従って制御され得ないが、等化フィルタ係数のウィンドウ表示は、より大きな範囲に時間領域においてフィルタ挙動を制御することを考慮に入れる。図２７は、０．７５のガウスウィンドウを有するウィンドウ表示に基づいて、事前呼び出し制約及び振幅制約と組み合わされて、等化フィルタ、及びより遠距離のラウドスピーカのみ、すなわち、ラウドスピーカＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒを使用する場合、サウンドゾーン７０１〜７０４での振幅周波数応答を図解している図である。すべての等化フィルタの対応するインパルス応答は、図２８に描写される。
【００４８】
ウィンドウ表示がパラメータ化可能なガウスウィンドウに基づくならば、以下の方程式が適用する。
【００４９】
【数１２】
0006695808.tif 000024
【００５０】
式中、
【化１２】
0006695808.tif 000025
であり、αは、標準偏差σに反比例し、例えば、０．７５であるパラメータである。パラメータαは、図２９に示されるように、ガウス形状（サンプルの経時の増幅）を有する平滑化パラメータとして見なされ得る。
【００５１】
図３０に示される結果として生じるシステム及び方法の信号フローチャートは、図２に関連して上述したシステム及び方法に基づく。ウィンドウ表示モジュール３００１（振幅制約）は、ＬＭＳモジュール２０７と等価フィルタモジュール２０５との間に配列される。別のウィンドウ表示モジュール３００２は、ＬＭＳモジュール２０８と等価フィルタモジュール２０６との間に配列される。ウィンドウ表示は、（図２２に示されるような）事前呼び出し制約に関連して使用され得るが、また、スタンドアローン用途で、他の音響心理学的誘因制約に関連して、または、モデリング遅延に関連して使用され得る。
【００５２】
ウィンドウ表示は、図２７において分かるように、クロストークキャンセルパフォーマンスの著しい変化をもたらさないが、図２６及び２８の比較から分かるように、等化フィルタの時間挙動は向上される。しかしながら、振幅制約としてウィンドウを使用することは、図３１を図２３及び図２４と比較するとき明らかなように、他のバージョンと同様に、振幅周波数曲線のかかる大きな平滑化をもたらさない。その代わりに、位相時間特性は平滑化される。なぜなら、図３１を図２３及び図２４と比較するときにまた明らかにされるように、平滑化が時間領域で実施されるからだ。図３１は、修正ガウスウィンドウでのウィンドウ表示に基づく事前呼び出し制約及び振幅制約と組み合わせたより遠距離のラウドスピーカのみが使用される場合の、システムまたは方法のボード線図（振幅周波数応答、位相周波数応答）である。
【００５３】
ウィンドウ表示がＭＥＬＭＳアルゴリズムにおいて制約を適用した後に実施されて、ウィンドウ（例えば、図２９に示されるウィンドウ）は周期的に推移されて、定期的に修正され、それは以下の通りに表され得る。
【００５４】
【数１３】
0006695808.tif 000026
【００５５】
図２９に示されるガウスウィンドウは、パラメータαがより小さくなって、ひいてはパラメータαのより小さい値においてより小さい平滑化を提供するとき、平らになる傾向がある。パラメータαは、更新率（すなわち、どのくらいの頻度で、ウィンドウ表示がある特定の数の繰り返しステップ中で適用されるか）、反復の合計数等、異なる態様に依存して選択され得る。本実施例では、ウィンドウ表示は、各々の繰り返しステップにおいて実施される。これは、比較的小さいパラメータαを選択する理由であった。なぜなら、ウィンドウとのフィルタ係数の繰り返された乗算が各々の反復ステップにおいて実施され、フィルタ係数が連続的に減少するからだ。適切に修正されたウィンドウは、図３２に示される。
【００５６】
ウィンドウ表示は、振幅及び位相に関して分光領域においてある特定の平滑化だけでなく、等化フィルタ係数の所望時間制限を調節することも考慮に入れる。これらの効果は、構成可能なウィンドウ（上述した典型的なガウスウィンドウにおいてパラメータαを参照）等の平滑化パラメータを通じて自由に選択され得、そのため、最大減衰、及び時間領域内の等化フィルタの音質が調節され得る。
【００５７】
等化フィルタの分光特性を平滑化するさらに別の代替の方法は、振幅に加えて、振幅制約において位相を提供することであり得る。未処理の位相の代わりに、前もって十分に平滑化された位相が適用され、それによって、円滑化は再び非線形であり得る。しかしながら、任意の他の平滑化特性も、同様に適用可能である。平滑化は、連続位相周波数特性であるアンラップ位相にのみ適用され、−π≦φ＜πの有効範囲内にある（繰り返し）ラップ位相には適用され得ない。
【００５８】
また、トポロジーを考慮に入れるために、空間制約が使用され得、それは、以下の通りにＭＥＬＭＳアルゴリズムを適応させることによって達成され得る。
【００５９】
【数１４】
0006695808.tif 000027
、式中、
【００６０】
【化１３】
0006695808.tif 000028
であり、
【化１４】
0006695808.tif 000029
は、分光領域におけるｍ番目のエラー信号のための加重関数である。
【００６１】
図２２に関連して上述したシステム及び方法に基づき、空間制約ＬＭＳモジュール３３０１が、ＬＭＳモジュール２０７を代用し、空間制約ＬＭＳモジュール３３０２が、ＬＭＳモジュール２０８を代用する、適切に修正されたＭＥＬＭＳアルゴリズムのフローチャートが、図３３に示される。空間制約は、（図３３に示されるように）事前呼び出し制約に関連して使用され得るが、また、スタンドアローン用途で、音響心理学的誘因制約に関連して、または、モデリング遅延に関連して使用され得る。
【００６２】
図２２に関連して上述したシステム及び方法にも基づく、代わりに修正されたＭＥＬＭＳアルゴリズムのフローチャートが、図３４に示される。空間制約モジュール３４０３は、ゲイン制御フィルタモジュール３４０１及びゲイン制御フィルタモジュール３４０２を制御するために配列される。ゲイン制御フィルタモジュール３４０１は、マイクロフォン２１５の下流に配列されて、修正エラー信号ｅ´１（ｎ）を提供する。ゲイン制御フィルタモジュール３４０２は、マイクロフォン２１６の下流に配列されて、修正エラー信号ｅ´２（ｎ）を提供する。
【００６３】
図３４に示されるシステム及び方法において、マイクロフォン２１５及び２１６からの（エラー）信号ｅ１（ｎ）ならびにｅ２（ｎ）は、分光領域においてよりもむしろ時間領域において修正される。時間領域における修正は、それでも実施され得、これによって、信号の分光組成も修正され、例えば、フィルタを通じて、周波数依存増加を提供する。しかしながら、ゲインは単に周波数依存でもあり得る。
【００６４】
図３４に示される実施例において、空間制約は適用されず、すなわち、すべてのエラーマイクロフォン（すべての位置、すべてのサウンドゾーン）は等しく加重され、そのため、特別な重点または非重要さが特定のマイクロフォン（位置、サウンドゾーン）には適用されない。しかしながら、位置依存的な加重は、同様に適用され得る。代わりに、例えば、聴取者の耳の周りのエリアが増幅され得、頭の後部のエリアが減衰され得るように、サブエリアは画定され得る。
【００６５】
ラウドスピーカが異なる電気特性及び音響特性を示し得るので、ラウドスピーカに供給される信号の分光適用領域を修正することが望ましい場合がある。しかし、たとえすべての特性が同一であるとしても、異なる場所（位置、異なる容量を有する位相反転型）に配置されるとき、同一の特性を有する同一のラウドスピーカの使用可能な帯域幅が異なる場合があるので、各々のラウドスピーカの帯域幅を他のラウドスピーカと独立して制御することが望ましい場合がある。かかる差は、クロスオーバーフィルタを通じて補償され得る。図３５に示される典型的なシステム及び方法において、本明細書で周波数制約とも呼ばれる周波数依存ゲイン制約は、例えば、不必要な非直線歪に導くラウドスピーカのどれも過負荷をかけられないように、すべてのラウドスピーカが、同一であるか少なくとも類似の様式で動作されることを確認するために、クロスオーバーフィルタの代わりに使用され得る。周波数制約は、多数の方法で実現され得、そのうちの２つが以下に議論される。
【００６６】
図３４に関連して上述したシステム及び方法に基づくが、特定の制約を有するか有しない、本明細書に説明される任意の他のシステム及び方法に基づき得る、適切に修正されたＭＥＬＭＳアルゴリズムのフローチャートが、図３５に示される。図３５に示される典型的なシステムでは、ＬＭＳモジュール２０７及び２０８は、周波数依存ゲイン制約ＬＭＳモジュール３５０１及び３５０２によって置換され、特定の適合挙動を提供し、それは、以下の通りに説明され得る。
【００６７】
【数１５】
0006695808.tif 000030
【００６８】
式中
【化１５】
0006695808.tif 000031
、Ｋは、ラウドスピーカの数であり、
【化１６】
0006695808.tif 000032
Ｍは、マイクロフォンの数であり、
【化１７】
0006695808.tif 000033
は、（サンプルの）時間ｎにおけるｋ番目のラウドスピーカとｍ番目の（エラー）と間の二次パスのモデルであり、
【化１８】
0006695808.tif 000034
は、ｋ番目のラウドスピーカに供給される信号の分光制限のクロスオーバーフィルタの振幅であり、信号は、時間ｎの間本質的には一定である。
【００６９】
理解されるように、修正ＭＥＬＭＳアルゴリズムは、本質的に、フィルタ処理された入力信号が生成される修正にすぎず、フィルタ処理された入力信号は、伝達関数
【化１９】
0006695808.tif 000035
を用いてＫクロスオーバーフィルタモジュールを通じてスペクトルで制限される。クロスオーバーフィルタモジュールは複素伝達関数を有し得るが、位相が分光規制のために必要とされず、適合プロセスを妨害しさえするので、所望分光規制を達成するために、ほとんど用途において、伝達関数
【化２０】
0006695808.tif 000036
の振幅だけを使用するのに十分である。適用可能なクロスオーバーフィルタの典型的な周波数特性の振幅は、図３６に描写される。
【００７０】
すべての４つの位置における対応する振幅周波数応答、及び（サンプルの）経時の等化フィルタ（そのインパルス応答を表示する）のフィルタ係数は、それぞれ図３７及び３８に示される。図３７に示される振幅特性、及び図３８に示されるクロストークキャンセルを確立する等化フィルタのインパルス応答は、０．２５のガウスウィンドウを有するウィンドウ表示を含む周波数制約、事前呼び出し制約、及び振幅制約と組み合わされて、図７に示されるセットアップのラウドスピーカＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒ等のより遠距離のスピーカに独占的に関連して等化フィルタを適用するとき、４つの位置に関する。
【００７１】
図３７及び３８は、４００Ｈｚ未満のクロスオーバーフィルタモジュールを通じての出力信号の分光制限の結果を図解し、それは、図７に示されるセットアップにおける前方ウーファＦＬＳｐｋｒＬ及びＦＲＳｐｋｒＬの小さい影響であり、図３７と２７との比較から分かるように、クロストークキャンセルに対する任意の著しい影響の欠如である。これらの結果は、また、図３９及び図３１に示されるボード線図を比較するとき、支援され、図３９に示される図は、図３７及び図３８の基礎を形成する同じセットアップに基づき、ウーファＦＬＳｐｋｒＬとＦＲＳｐｋｒＬに供給される信号の著しい変更を示す（それらが前部一ＦＬＰｏｓ及びＦＲＰｏｓの隣にあるとき）。周波数制約を有するシステム及び方法は、前述のように、いくつかの用途において、低周波数においてある特定の欠点（振幅の低下）を示す傾向がある場合がある。したがって、周波数制約は、例えば、図４０に関連して以下に議論されるように、代わりに実装され得る。
【００７２】
図４０に示されるように、適切に修正されたＭＥＬＭＳアルゴリズムのフローチャートは、図３４に関連して上述したシステムと方法に基づくが、代わりに、特定の制約を有するか有しない、本明細書に説明される任意の他のシステム及び方法に基づき得る。図４０に示される典型的なシステムでは、周波数制約モジュール４００１は、等化フィルタ２０５の下流に配列され得、周波数制約モジュール４００２は、等化フィルタ２０６の下流に配列され得る。周波数制約の代替の配列は、部屋伝達特性において、すなわち、ラウドスピーカに供給された信号を事前フィルタ処理することを通じて実際の発生している伝達関数
【化２１】
0006695808.tif 000037
において、及び図４０
【化２２】
0006695808.tif 000038
によって指示されるそれらのモデル
【化２３】
0006695808.tif 000039
の伝達関数において、クロスオーバーフィルタの複雑な影響（振幅及び位相）を減少させることを考慮に入れる。ＭＥＬＭＳアルゴリズムへのこの修正は、以下の方程式で説明され得る。
【００７３】
【数１６】
0006695808.tif 000040
【００７４】
【数１７】
0006695808.tif 000041
【００７５】
式中、
【化２４】
0006695808.tif 000042
は、
【化２５】
0006695808.tif 000043
の近似値である。
【００７６】
図４１は、等化フィルタが適用され、より遠距離のラウドスピーカのみ、すなわち、図７に示されるセットアップのＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒが、事前呼び出し制約、振幅制約（０．２５のガウスウィンドウを有するウィンドウ表示）、及び部屋伝達関数に含まれる周波数制約に関連して使用される場合の、上述した４つの位置で振幅周波数応答を図解している図である。対応するインパルス応答は図４２に示され、対応するボード線図は図４３に示される。図４１〜４３で分かるように、クロスオーバーフィルタは、前方位置ＦＬＰｏｓ及びＦＲＰｏｓの隣のウーファＦＬＳｐｋｒＬ及びＦＲＳｐｋｒＬに著しい影響を及ぼす。特に図４１と３７とを比較するとき、図４１の図が基づく周波数制約が、下部周波数においてより異なるフィルタ処理効果を考慮に入れ、クロストークキャンセルパフォーマンスが５０Ｈｚを超える周波数で少し悪化することが分かる。
【００７７】
用途に従って、少なくとも１つの（他の）音響心理学的誘因制約は、単独で、または、他の音響心理学的誘因であるか音響心理学的誘因でない制約（ラウドスピーカ―部屋―マイクロフォン制約等）と組み合わされて、使用され得る。例えば、振幅制約だけを使用するときの等化フィルタの時間挙動、すなわち、元々の位相を維持するときの振幅周波数特性の非線形平滑化（図２６に描写されるインパルス応答を比較する）は、いらいらさせるトーンの事後呼び出しとして聴取者によって知覚される。この事後呼び出しは、以下の通りにエネルギー時間曲線（ＥＴＣ）に基づいて説明され得る事後呼び出し制約を通じて抑制され得る。
【００７８】
ゼロパディング：
【００７９】
【数１８】
0006695808.tif 000044
【００８０】
式中、
【化２６】
0006695808.tif 000045
は、長さＮ／２を有するＭＥＬＭＳアルゴリズムにおけるｋ番目の等化フィルタのためのフィルタ係数の終集合であり、０は、長さＮを有するゼロ列ベクトルである。
【００８１】
ＦＦＴ変換：
【００８２】
【数１９】
0006695808.tif 000046
【００８３】
ＥＴＣ算出：
【００８４】
【数２０】
0006695808.tif 000047
【００８５】
【数２１】
0006695808.tif 000048
【００８６】
【数２２】
0006695808.tif 000049
【００８７】
【数２３】
0006695808.tif 000050
【００８８】
式中、
【化２７】
0006695808.tif 000051
は、ｔ番目の繰り返しステップ（矩形ウィンドウ）におけるｋ番目の等化フィルタのスペクトルの実数部であり、
【化２８】
0006695808.tif 000052
ｋ番目の等化フィルタの滝図を表示し、それは、対数領域内でＮ／２の長さを有する単一の側波帯スペクトルのすべてのＮ／２振幅周波数応答を含む。
【００８９】
典型的車両の室内のインパルス応答のＥＴＣを算出して、結果として生じるＥＴＣを、上述したＭＥＬＭＳシステムまたは方法において前部左高周波数ラウドスピーカＦＬＳｐｋｒＨに供給された信号のＥＴＣと比較するとき、ある特定の周波数範囲で示される減衰時間が有意により長く、それが、事後呼び出しの根底にある原因と見なされ得ることが分かる。さらに、上述したＭＥＬＭＳシステム及び方法の室内のインパルス応答に含まれるエネルギーが、減衰プロセスの後の時点で大きすぎる場合があることが分かる。事前呼び出しが抑制される方法に類似して、事後呼び出しは、（聴覚）事後マスキングと呼ばれる人間の耳の音響心理学的な特性に基づく事後呼び出し制約を通じて抑制され得る。
【００９０】
聴覚マスキングは、１つの音の認識が別の音の存在によって影響を受けるとき発生する。周波数領域における聴覚マスキングは、同時マスキング、周波数マスキング、または分光マスキングとして知られている。時間領域における聴覚マスキングは、時間マスキングまたは非同時マスキングとして知られている。マスキングされていない閾値は、現在のマスキング信号なしで知覚され得る信号で最も静かなレベルである。マスキングされた閾値は、特定のマスキング騒音と組み合わせられるとき、知覚される信号で最も静かなレベルである。マスキングの量は、マスキングされた閾値とマスキングされていない閾値との間の差である。マスキングの量は、標的の信号とマスキング音との両方の特性に依存して変動し、個々の聴取者にも特有であることになる。音が原音と同じ期間の騒音または不必要な音によって不可聴になるとき、同時マスキングが発生する。突然の刺激音が不可聴の刺激の直前または直後に存在する他の音を作るとき、時間マスキングまたは非同時マスキングが発生する。マスキング音の直前に音を不明瞭にするマスキングは、逆向性マスキングまたは事前マスキングと呼ばれ、マスキング音の直後に音を不明瞭にするマスキングは、順向性マスキングまたは事後マスキングと呼ばれる。時間マスキングの効果は、マスキング音のオンセット及びオフセットから指数的に減衰し、図４４に示されるように、オンセット減衰は約２０ｍｓ続き、オフセット減衰は約１００ｍｓ続く。
【００９１】
周波数に対する群遅延差の逆指数関数を描写している典型的なグラフが図４５に示され、事後マスキング閾値としての周波数に対する位相差の対応する逆指数関数が図４６に示される。「事後マスキング」閾値は、等化フィルタでの事後呼び出しを避ける制約として、本明細書では理解される。制限群遅延関数（周波数に対する群遅延差）の形で制約を示す図４５から分かるように、周波数が増加するとき、事後マスキング閾値は減少する。約１Ｈｚの周波数である一方、約２５０ｍｓの期間を有する事後呼び出しは、約５００Ｈｚの周波数で、聴取者にとって受容可能であり得、閾値は、すでに約５０ｍｓであり、５ｍｓの近似漸近エンド値を有するより高い周波数に到達し得る。図４５に示される曲線は制限位相関数に容易に変形され得、それは、周波数に対する位相差曲線として図４６に示される。事後呼び出し（図４５及び４６）と事前呼び出し（図３及び４）との曲線の形状が全く類似しているので、同じ曲線が、異なるスケーリングで、事後呼び出しと事前呼び出しとの両方に使用され得る。事後呼び出し制約は、以下の通りに説明され得る。
【００９２】
規格値：
【００９３】
【化２９】
0006695808.tif 000053
は、（サンプルの）Ｎ／２の長さを有する時間ベクトルであり、
【００９４】
ｔ０＝０は、時間における開始点であり、
【００９５】
ａ０ｄｂ＝０ｄＢは開始レベルであり、
【００９６】
ａ１ｄｂ＝６０ｄＢは終了レベルであり、
【００９７】
勾配：
【００９８】
【化３０】
0006695808.tif 000054
は、（ｄＢ／ｓの）制限関数の勾配であり、
【００９９】
【化３１】
0006695808.tif 000055
は、（ＦＦＴビンの）周波数ｎにおける（ｓの）事後呼び出しを抑制する群遅延の差関数である。
【０１００】
制限関数：
【０１０１】
【化３２】
0006695808.tif 000056
は、（ｄＢの）ｎ番目の周波数ビンのための時間制限関数であり、
【０１０２】
【化３３】
0006695808.tif 000057
は、（ＦＦＴビンの）単一の側波帯スペクトルのビン数を表示している周波数インデックスである。
【０１０３】
時間補償／スケーリング：
【０１０４】
【数２４】
0006695808.tif 000058
【０１０５】
【数２５】
0006695808.tif 000059
【０１０６】
０は、長さｔＭａｘを有するゼロベクトルであり、
【０１０７】
ｔＭａｘは、ｎ番目の制限関数がその最大値を有する時間インデックスである。
【０１０８】
線形化：
【０１０９】
【数２６】
0006695808.tif 000060
【０１１０】
ＥＴＣの制限：
【０１１１】
【数２７】
0006695808.tif 000061
【０１１２】
室内のインパルス応答の算出：
【０１１３】
【化３４】
0006695808.tif 000062
は、事後呼び出し制約を含むｋ番目のチャネル（ラウドスピーカに供給される信号）の修正された室内のインパルス応答である。
【０１１４】
上記の方程式で分かるように、事後呼び出し制約は、ＥＴＣの時間制限にここでは基づき、該ＥＴＣは、周波数依存であり、その振動数依存は、群遅延差関数
【化３５】
0006695808.tif 000063
に基づく。群遅延差関数
【化３６】
0006695808.tif 000064
を表示している典型的な曲線は、図４５に示される。所与の時間内で
【化３７】
0006695808.tif 000065
、図４７に示されるように、制限関数
【化３８】
0006695808.tif 000066
のレベルは、閾値ａ０ｄＢ及びａ１ｄｂに従って減少する。
【０１１５】
各々の周波数ｎに対して、図４７に示されるような時間制限関数は、算出されて、ＥＴＣ行列に適用される。対応するＥＴＣ回のベクトルの値が周波数ｎで
【化３９】
0006695808.tif 000067
によって与えられる対応する閾値を超えるならば、ＥＴＣ時間ベクトルは閾値からその距離に従ってスケーリングされる。このように、群遅延差関数
【化４０】
0006695808.tif 000068
によって必要とされるように、等化フィルタが、それらのスペクトルにおいて、周波数依存時間低下を示すことが確実にされる。群遅延差関数
【化４１】
0006695808.tif 000069
が音響心理学的条件（図４４を参照）によって設計されるように、聴取者をいらいらさせる事後呼び出しは、避けられるか、受容可能な程度に少なくとも減少させられ得る。
【０１１６】
ここで図４８を参照して、事後呼び出し制約は、例えば、図４０に関連して（または本明細書に説明される任意の他のシステム及び方法で）、上述したシステム及び方法において実装され得る。図４８に示される典型的なシステムでは、組み合わされた振幅及び事後呼び出し制約モジュール４８０１と４８０２は、振幅制約モジュール２２０１及び２２０２の代わりに使用される。図４９は、等化フィルタが適用され、より遠距離のラウドスピーカのみ、すなわち、図７に示されるセットアップのＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒが、事前呼び出し制約、振幅制約（０．２５のガウスウィンドウを有するウィンドウ表示）、部屋伝達関数に含まれる周波数制約、及び事後呼び出し制約に関連して使用される場合の、図７に関連して上述した４つの位置で振幅周波数応答を図解している図である。
【０１１７】
対応するインパルス応答は図５０に示され、対応するボード線図は図５１に示される。図４９に示される図を図４１に示される図と比較するとき、事後呼び出し制約がクロストークキャンセルパフォーマンスをわずかに悪化させることが分かる。他方、図５０に示される事後呼び出しは、図４２に示される図ではより小さくなり、それは、図４０に示されるシステム及び方法に関する。図５１に示されるボード線図から明らかなように、事後呼び出し制約は、位相特性にいくらかの影響を及ぼし、例えば、位相曲線は平滑化される。
【０１１８】
事後呼び出し制約を実装する別の方法は、ウィンドウ表示の振幅制約に関連して、上述したウィンドウ表示手順でそれを統合することである。時間領域における事後呼び出し制約は、ウィンドウ表示の振幅制約として同様の方法で、前述のように、スペクトルでウィンドウ表示され、そのため、両方の制約は、１つの制約に結合され得る。これを達成するために、各々の等化フィルタは、繰り返しプロセスの終わりに排他的にフィルタ処理され、等距離の周波数点がＦＦＴ分析に類似している余弦信号の集合から始まる。その後、それに応じて算出された時間信号は、周波数依存ウィンドウ関数を用いて加重される。ウィンドウ関数は、増加する周波数と共に短縮され得、そのため、フィルタ処理が、より高い周波数のために向上させられ、ひいては、非線形平滑化が、確立される。また、指数的に傾斜したウィンドウ関数が、使用され得、その時間構造は、図４５に描写される群遅延差関数に類似している群遅延によって決定される。
【０１１９】
自由にパラメータ化可能で、長さが周波数依存である実装されたウィンドウ関数は、指数関数的、直線性、ハミング、ハニング、ガウス、または任意の他の適切な種類のものであり得る。単純さのために、本実施例で使用されるウィンドウ関数は、指数関数的な種類である。制限関数の終端点ａ１ｄＢは、クロストークキャンセルパフォーマンスを向上するために、周波数依存（例えば、ｎが増加するとき、ａ１ｄＢ（ｎ）が減少し得る周波数依存制限関数ａ１ｄＢ（ｎ））であり得る。
【０１２０】
群遅延関数
【化４２】
0006695808.tif 000070
によって定義された時間以内に、レベルが、周波数依存終端点ａ１ｄＢ（ｎ）によって特定された値に落ち、それが、余弦関数を通じて修正され得るように、ウィンドウ関数はさらに構成され得る。すべてのそれに応じてウィンドウ表示された余弦信号は、引き続いて加算され、その合計は、スケーリングされ、等化フィルタのインパルス応答を提供し、その振幅周波数特性は、平滑化されるように見え（振幅制約）、その減衰挙動は、所定の群遅延差関数に従って修正される（事後呼び出し制約）。ウィンドウ表示が時間領域内で実施されるので、それは、振幅周波数特性だけでなく、位相周波数特性にも影響を及ぼし、そのため、周波数依存非線形複素平滑化が達成される。ウィンドウ表示技法は、以下に掲げる方程式によって説明され得る。
【０１２１】
規格値：
【０１２２】
【化４３】
0006695808.tif 000071
は、（サンプルの）Ｎ／２の長さを有する時間ベクトルであり、
【０１２３】
ｔ０＝０は、時間における開始点であり、
【０１２４】
ａ０ｄｂ＝０ｄＢは開始レベルであり、
【０１２５】
ａ１ｄｂ＝−１２０ｄＢは下側閾値である。
【０１２６】
レベル制限：
【０１２７】
【化４４】
0006695808.tif 000072
は、レベル制限であり、
【０１２８】
【化４５】
0006695808.tif 000073
は、レベル修正関数であり、
【０１２９】
【化４６】
0006695808.tif 000074
、式中、
【０１３０】
【化４７】
0006695808.tif 000075
は、単一の側波帯スペクトルのビン数を表示している周波数インデックスである。
【０１３１】
余弦信号行列：
【０１３２】
【化４８】
0006695808.tif 000076
は、余弦信号行列である。
【０１３３】
ウィンドウ関数行列：
【０１３４】
【化４９】
0006695808.tif 000077
は、ｄＢ／ｓの制限関数の勾配であり、
【０１３５】
【化５０】
0006695808.tif 000078
は、ｎ番目の周波数ビンにおいて事後呼び出しを抑制するための群遅延差関数であり、
【０１３６】
【化５１】
0006695808.tif 000079
は、ｎ番目の周波数ビンのための時間制限関数であり、
【０１３７】
【化５２】
0006695808.tif 000080
は、すべての周波数依存ウィンドウ関数を含む行列である。
【０１３８】
フィルタ処理（用途）：
【０１３９】
式中、
【化５３】
0006695808.tif 000081
、余弦行列フィルタであり、ｗｋは長さＮ／２を有するｋ番目の等化フィルタである。
【０１４０】
ウィンドウ表示及びスケーリング（用途）：
【０１４１】
【化５４】
0006695808.tif 000082
は、前に説明された方法によって導き出されるｋ番目のチャネルの円滑化された等化フィルタである。
【０１４２】
典型的な周波数依存レベル制限関数ａ１ｄＢ（ｎ）及び典型的なレベル制限
【化５５】
0006695808.tif 000083
の振幅時間曲線は、図５２に描写される。レベル制限関数ａ１ｄＢ（ｎ）は、下部周波数が上部周波数より制限されなかったという趣旨で、図５３に増幅周波数曲線として示されるレベル修正関数
【化５６】
0006695808.tif 000084
、によって修正された。指数ウィンドウに基づくウィンドウ関数ＷｉｎＭａｔ（ｎ，ｔ）は、周波数２００Ｈｚ（ａ）、２，０００Ｈｚ（ｂ）、及び２０，０００Ｈｚ（ｃ）において図５４に図解される。図５５〜５７においてさらに分かるように、振幅及び事後呼び出し制約は、このように、何ら重大著しいパフォーマンス低下なしで、互いにこのように組み合わされ得る。
【０１４３】
図５５は、等化フィルタが適用され、より遠距離のラウドスピーカのみ、すなわち、図７に示されるセットアップのＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒが、事前呼び出し制約、周波数制約、ウィンドウ表示の振幅、及び事後呼び出し制約に関連して使用される場合の、図７に関連して上述した４つの位置で振幅周波数応答を図解している図である。対応するインパルス応答（増幅時間図）は図５６に示され、対応するボード線図は図５７に示される。前述のウィンドウ表示技法は、より高い周波数で分光成分の著しい現象を考慮に入れ、それは、より便利であると聴取者によって知覚される。この特別なウィンドウ表示技法が、ＭＩＭＯシステムにおいて適用可能であるだけでなく、一般的な等化システムまたは計測システム等の制約を使用する任意の他のシステム及び方法にも適用されることに留意されたい。
【０１４４】
上述した実施例のほとんどにおいて、より遠距離のラウドスピーカのみ、すなわち、図７に示されるセットアップのＦＬＳｐｋｒＨ、ＦＬＳｐｋｒＬ、ＦＲＳｐｋｒＨ、ＦＲＳｐｋｒＬ、ＳＬＳｐｋｒ、ＳＲＳｐｋｒ、ＲＬＳｐｋｒ、及びＲＲＳｐｋｒが使用された。しかしながら、ラウドスピーカＦＬＬＳｐｋｒ、ＦＬＲＳｐｋｒ、ＦＲＬＳｐｋｒ、ＦＲＲＳｐｋｒ、ＲＬＬＳｐｋｒ、ＲＬＲＳｐｋｒ、ＲＲＬＳｐｋｒ、及びＲＲＲＳｐｋｒ等のより密接に配列されたラウドスピーカを利用することは、追加のパフォーマンス向上を提供し得る。したがって、図７に示されるセットアップにおいて、ヘッドレスト内に配置される８つのラウドスピーカを含むすべてのラウドスピーカは、クロストークキャンセルパフォーマンスを考慮してウィンドウ表示の事後呼び出し制約のパフォーマンスを評価するために利用される。明るいゾーンが前部左位置において確立され、３つの暗いゾーンが３つの残りの位置において生成されると仮定される。
【０１４５】
図５８は、振幅周波数曲線を通じて、明るいゾーンにおける調性のための参照で、同時に事前呼び出し制約に適用され得る標的関数を図解する。適用されたウィンドウ表示（ウィンドウ表示の事後呼び出し制約）を有する及び有さない図５８に示される標的関数に基づく典型的なイコライザフィルタのインパルス応答は、線形領域内の増幅時間曲線として図５９に描写され、対数領域内の振幅時間曲線として図６０に描写される。ウィンドウ表示の事後呼び出し制約が、ＭＥＬＭＳアルゴリズムに基づいて、等化フィルタ係数の減衰時間、ひいては等化フィルタのインパルス応答を有意に減少させることができることは、図６０から明らかである。
【０１４６】
図６０から、減衰が音響心理学的な条件に従っていることが分かり、それは、クロストークキャンセルパフォーマンスを悪化させることなく周波数が増加するとき、時間の短縮の有効性が連続的に増加することを意味する。さらに、図６１は、図５８に図解される標的関数がほとんど完全に満たされることを証明する。図６１は、事前呼び出し制約、周波数制約、ウィンドウ表示の振幅、及びウィンドウ表示の事後呼び出し制約と組み合わせて、図７に示されるセットアップのすべてのラウドスピーカ（ヘッドレスト内のラウドスピーカを含む）、及び等化フィルタを使用する場合、図７に関連して上述した４つの位置において振幅周波数応答を図解している図である。対応するインパルス応答は図６２に示される。一般に、事前呼び出し制約等のあらゆる種類の音響心理学的な制約、振幅制約、事後呼び出し制約、ならびに周波数制約及び空間制約等のあらゆる種類のラウドスピーカ―部屋―マイクロフォン制約は、必要に応じて組み合わせられ得る。
【０１４７】
図６３を参照して、図１に関連して上述したシステム及び方法は、修正されて、個々のサウンドゾーンを生成するだけでなく、任意の所望波動場（可聴化として知られる）も生成し得る。これを達成するために、図１に示されるシステム及び方法は、制御可能な一次パス６３０１によって置換された一次パス１０１を考慮して修正された。一次パス６３０１は、音源部屋６３０２、例えば、所望聴取部屋によって制御される。二次パスは、車両６３０３の内部等の標的の部屋として実装され得る。図６３に示される典型的なシステム及び方法は、所望聴取部屋６３０２（例えば、コンサートホール）の音響効果が１つの特定の実際の聴取位置の周りのサウンドゾーン内に確立される（モデリングされる）単純なセットアップに基づき、同じセットアップは図７（例えば、車両内部６３０３の前部左位置）に示されるようなものである。聴取位置は、聴取者の耳の位置、つまり、聴取者の２つの耳の間の点、または標的の部屋６３０３のある特定の位置における頭の周りのエリアであり得る。
【０１４８】
音源部屋及び標的の部屋における音響測定は、同じマイクロフォン配列、すなわち、同じ音響学的特性を有する同じ数のマイクロフォンを用いて行われ、互いに対して同じ位置に配置され得る。ＭＥＬＭＳアルゴリズムが伝達関数Ｗ（ｚ）を有するＫ等化フィルタのために係数を生成するように、同じ音響状況は、音源部屋での対応する位置のように標的の部屋でのマイクロフォン位置において存在し得る。本実施例では、これは、仮想中心スピーカが、音源部屋６３０２において測定されるのと同じ特性を有する標的の部屋６３０３の前部左位置において、創出され得ることを意味する。上述したシステム及び方法は、図６４に示されるセットアップで分かるように、いくつかの仮想線源を生成するためにこのように使用され得る。前部左ラウドスピーカＦＬならびに前部右ラウドスピーカＦＲが、それぞれ高周波数のラウドスピーカＦＬＳｐｋｒＨ及びＦＲＳｐｋｒＨならびに低周波数のラウドスピーカＦＬＳｐｋｒＬ及びＦＲＳｐｋｒＬを有するラウドスピーカアレイに対応する点に留意されたい。本実施例では、音源部屋６４０１及び標的の部屋６３０３は、５．１オーディオセットアップであり得る。
【０１４９】
しかしながら、単一の仮想線源は、標的の部屋でモデリングされ得るだけでなく、多数のＩ仮想線源も同時にモデリングされ得、Ｉ仮想線源の各々に関して、対応する等化フィルタ係数集合Ｗｉ（ｚ）（Ｉは０、…、Ｉ−１）が算出される。例えば、図６４に示されるように、前部左位置で仮想５．１システムをモデリングするとき、５．１システムのためのＩＴＵ規格に従って配置されるＩ＝６仮想線源が生成される。多数の仮想線源を有するシステムの手法は、Ｉ一次パス行列Ｐｉ（ｚ）が音源部屋内で決定されて、標的の部屋内でセットアップされるラウドスピーカに適用される１つの仮想線源だけを有するシステムの手法と類似している。引き続いて、Ｋ等化フィルタのための等化フィルタ係数Ｗｉ（ｚ）の集合は、修正されたＭＥＬＭＳアルゴリズムを通じて各々の行列Ｐｉ（ｚ）のために適応的に決定される。図６５に示されるように、Ｉ×Ｋ等化フィルタは、次いで、重畳されて、適用される。
【０１５０】
図６５は、Ｉフィルタ行列６５０１〜６５０６を形成する適切に生成されたＩ×Ｋ等化フィルタの用途のフローチャートであり、運転者の位置における５．１規格に従ってＩ＝６仮想音源を近似音声再生に提供する。５．１規格に従って、ラウドスピーカ位置Ｃ、ＦＬ、ＦＲ、ＳＬ、ＳＲ、及びＳｕｂに関する６つの入力信号は、６つのフィルタ行列６５０１〜６５０６に供給される。等化フィルタ行列６５０１〜６５０６は、等化フィルタ係数Ｗ１（ｚ）〜Ｗ６（ｚ）のＩ＝６の集合を提供し、該係数において、各々の集合は、Ｋ等化フィルタを含み、ひいてはＫ出力信号を提供する。フィルタ行列の対応する出力信号は、加算器６５０７〜６５２１を通じて加算されて、次いで、標的の部屋６３０３内に配列されるそれぞれのラウドスピーカに供給される。例えば、ｋ＝１を有する出力信号は、加算されて、前部右ラウドスピーカ（アレイ）６５２３に供給され、ｋ＝２を有する出力信号は、加算されて、前部左ラウドスピーカ（アレイ）６５２２に供給され、ｋ＝６を有する出力信号は、加算されて、サブウーファー６５２４等に供給される。
【０１５１】
波動場は、図６６に示されるように、任意の数の位置、例えば、標的の部屋６６０１の４つの位置において、マイクロフォンアレイ６６０３〜６６０６内に、確立され得る。４×Ｍを提供しているマイクロフォンアレイは、加算モジュール６６０２内で加算され、Ｍ信号ｙ（ｎ）を減算器１０５に提供する。修正ＭＥＬＭＳアルゴリズムは、仮想音源の位置の制御だけでなく、水平入射角（方位）、垂直入射角（高度）、及び仮想音源と聴取者との間の距離を考慮に入れる。
【０１５２】
さらに、フィールドは、その固有モード（すなわち球面調和関数）にコード化され得、それらは、引き続いて、再びデコードされて、元々の波動場と同一か、少なくとも非常に類似しているフィールドを提供する。デコーディングの間、波動場は、動的に修正され得る。例えば、回転され、ズームインまたはズームアウトされ、しっかり固定され、引き延ばされ、前後に推移される等され得る。その固有モードに音源部屋内の音源の波動場をコード化して、標的の部屋においてＭＩＭＯシステムまたは方法を通じて固有モードをコード化することによって、仮想音源は、標的の部屋でその３次元位置を考慮して、このように動的に修正され得る。図６７は、Ｍ＝４の次数までの典型的な固有モードを描写する。これらの固有モード（例えば、図６７に示される周波数から独立した形を有する波動場）は、ある度合い（次数）の等化フィルタ係数の特定の集合を通じてモデリングされ得る。その次数は、基本的に、音響システムの上限遮断周波数等の標的の部屋に存在する音響システムに依存する。遮断周波数がより高いほど、次数はより高くなければならない。
【０１５３】
聴取者からより遠く離れており、したがって、ｆＬｉｍ＝４００〜６００Ｈｚの遮断周波数を示す標的の部屋におけるラウドスピーカに関して、十分な次数はＭ＝１であり、それらは、３次元において、第１のＮ＝（Ｍ＋１）２＝４球面調和関数であり、２次元において、Ｎ＝（２Ｍ＋１）＝３である。
【０１５４】
【数２８】
0006695808.tif 000085
【０１５５】
式中、ｃは、音の速さ（２０°Ｃで３４３ｍ／ｓ）であり、Ｍは、固有モードの次数であり、Ｎは、固有モードの数であり、Ｒは、ゾーンの聴取表面の半径である。
【０１５６】
対照的に、追加のラウドスピーカが聴取者（例えば、ヘッドレストラウドスピーカ）にさらに近くに配置されるとき、次数Ｍは、Ｍ＝２またはＭ＝３に最大の遮断周波数に依存して増加し得る。遠い場条件が支配的である、すなわち、波動場が平面波に分けられ得ると仮定すると、その波動場は、以下のように、フーリエ・ベッセル級数として説明され得る。
【０１５７】
【数２９】
0006695808.tif 000086
【０１５８】
式中、
【化５７】
0006695808.tif 000087
は、アンビソニック係数（Ｎ番目の球面調和関数の加重係数）であり、
【化５８】
0006695808.tif 000088
は、ｍ番目の次数、ｎ番目の等級（実数部σ＝１、虚数部σ＝―１）の複素球面調和関数であり、
【化５９】
0006695808.tif 000089
は、位置ｒ＝（ｒ、θ、φ）における音圧のスペクトルであり、Ｓ（ｊω）は、分光領域内の入力信号であり、ｊは、複素数の虚数単位であり、ｊｍ（ｋｒ）は、ｍ番目の次数の第１の種の球ベッセル関数である。
【０１５９】
複素球面調和関数
【化６０】
0006695808.tif 000090
は、図６８に描写されるように、次いで、標的の部屋におけるＭＩＭＯシステム及び方法によって、すなわち、対応する等化フィルタ係数によってモデリングされ得る。対照的に、アンビソニック係数
【化６１】
0006695808.tif 000091
は、音源部屋または部屋シミュレーションにおいて波動場の分析から導き出される。図６８は、第１のＮ＝３の球面調和関数がＭＩＭＯシステムまたは方法を通じて標的の部屋において生成される用途のフローチャートである。３つの等化フィルタ行列６８０１〜６８０３は、入力信号ｘ［ｎ］からの運転者の位置における近似音声再生のための仮想音源の第１の３つの球面調和関数（Ｗ，Ｘ、及びＹ）を提供する。等化フィルタ行列６８０１〜６８０３は、各々の集合がＫ等化フィルタを含み、ひいてはＫ出力信号を提供する等化フィルタ係数Ｗ１（ｚ）〜Ｗ３（ｚ）の３つの集合を提供する。フィルタ行列の対応する出力信号は、加算器６８０４〜６８０９を通じて加算されて、次いで、標的の部屋６８１４に配列されたそれぞれのラウドスピーカに供給される。例えば、ｋ＝１を有する出力信号は、加算されて、前部右ラウドスピーカ（アレイ）６８１１に供給され、ｋ＝２を有する出力信号は、加算されて、前部左ラウドスピーカ（アレイ）６８１０に供給され、ｋ＝Ｋを有する最後の出力信号は、加算されて、サブウーファー６８１２に供給される。聴取位置６８１３において、次いで、１つの仮想線源の所望波動場を一緒に形成する第１の３つの固有モードＸ、Ｙ、及びＺが生成される。
【０１６０】
デコードしている間、回転要素が導入される以下の実施例から分かるように、修正は単純な方法で行われ得る。
【０１６１】
【数３０】
0006695808.tif 000092
【０１６２】
式中、
【化６２】
0006695808.tif 000093
は、所望方向で球面調和関数を回転させるモード加重係数である
【化６３】
0006695808.tif 000094
。
【０１６３】
図６９を参照して、音源部屋の音響効果を測定する配列は、マイクロフォンアレイ６９０１を含み得、そこでは、多数のマイクロフォン６９０３〜６９０６がヘッドバンド６９０２上で配置される。ヘッドバンド６９０２は、音源部屋にあるときに聴取者６９０７によって着用され、聴取者の耳よりわずかに上に位置付けられ得る。単一のマイクロフォンの代わりに、マイクロフォンアレイは、音源部屋の音響効果を測定するために使用され得る。マイクロフォンアレイは、平均聴取者の頭の直径に対応する直径を有する円の上、及び平均聴取者の耳に対応する位置に配列された少なくとも２つのマイクロフォンを含む。アレイのマイクロフォンのうちの２つは、平均聴取者の耳の位置に、またはその少なくとも近くに配置され得る。
【０１６４】
聴取者の頭の代わりに、人間の頭に類似した特性を有する任意の人工の頭または剛体球も使用され得る。さらに、追加のマイクロフォンは、円上以外の位置に（例えば、さらなる円上、または、剛体球上の任意の他のパターンに従って）配列され得る。図７０は、剛体球７００１上の多数のマイクロフォン７００２を含むマイクロフォンアレイを描写し、そこでは、マイクロフォン７００２のいくつかが、少なくとも１つの円７００３上に配列され得る。循環７００３は、聴取者の耳の位置を含む円に対応するように配列され得る。
【０１６５】
代わりに、多数のマイクロフォンは、耳の位置を含む多数の円上に配列され得るが、該多数のマイクロフォンは、周りに人間の耳があり、人工の頭または他の剛体球の場合にあるとされるエリアに集中する。マイクロフォン７１０２が聴取者７１０１によって着用された耳カップ７１０３上に配列される配列の実施例が、図７１に示される。マイクロフォン７１０２は、人間の耳の位置の周りで、半球上の規則的なパターンで配置され得る。
【０１６６】
音源部屋における音響効果を測定する他の代替のマイクロフォン配列は、人工の頭を含み得、耳の位置で２つのマイクロフォン（平面のパターンに配列されたマイクロフォン、または、剛体球上に（準）規則的な様式に置かれたマイクロフォン）を用いて、アンビソニック係数を直接測定することができる。
【０１６７】
図５２〜図５４に関連して再び上の説明を参照して、図７２に示されるような統合された事後呼び出し制約を有する振幅制約を提供する典型的なプロセスは、フィルタモジュールの伝達関数を反復的に適応させること（７２０１）と、適応時に、等距離の周波数及び等増幅を有する余弦信号の集合をフィルタモジュールに入力すること（７２０２）と、周波数依存ウィンドウ関数を用いて、フィルタモジュールによって出力された信号を加重すること（７２０３）と、フィルタ処理されたウィンドウ表示の余弦信号を加算して、加算信号を提供すること（７２０４）と、加算信号をスケーリングして、Ｋ等価フィルタモジュールの伝達関数を制御するフィルタモジュールの更新されたインパルス応答を提供すること（７２０５）と、を含み得る。
【０１６８】
フィルタモジュールとフィルタ制御モジュールとの両方が、車両に実装され得るが、代わりに、フィルタモジュールだけが車両に実装され得、フィルタ制御モジュールが車両の外側にあり得ることに、上記のシステム及び方法において留意されたい。別の代替として、フィルタモジュール及びフィルタ制御モジュールは、車両の外側、例えば、コンピュータ中に実装され得、フィルタモジュールのフィルタ係数は、車両に配置された影フィルタにコピーされ得る。さらに、適応は、場合によっては、一回のプロセスまたは連続的なプロセスであり得る。
【０１６９】
本発明の様々な実施形態が説明された一方、より多くの実施形態及び実装形態が本発明の範囲内で可能であることは当業者に明らかであろう。したがって、本発明は、添付の特許請求の範囲及びそれらの同等物の観点を除いて制限されるものではない。
【図１】
0006695808.tif 000095
【図２】
0006695808.tif 000096
【図３】
0006695808.tif 000097
【図４】
0006695808.tif 000098
【図５】
0006695808.tif 000099
【図６】
0006695808.tif 000100
【図７】
0006695808.tif 000101
【図８】
0006695808.tif 000102
【図９】
0006695808.tif 000103
【図１０】
0006695808.tif 000104
【図１１】
0006695808.tif 000105
【図１２】
0006695808.tif 000106
【図１３】
0006695808.tif 000107
【図１４】
0006695808.tif 000108
【図１５】
0006695808.tif 000109
【図１６】
0006695808.tif 000110
【図１７】
0006695808.tif 000111
【図１８】
0006695808.tif 000112
【図１９】
0006695808.tif 000113
【図２０】
0006695808.tif 000114
【図２１】
0006695808.tif 000115
【図２２】
0006695808.tif 000116
【図２３】
0006695808.tif 000117
【図２４】
0006695808.tif 000118
【図２５】
0006695808.tif 000119
【図２６】
0006695808.tif 000120
【図２７】
0006695808.tif 000121
【図２８】
0006695808.tif 000122
【図２９】
0006695808.tif 000123
【図３０】
0006695808.tif 000124
【図３１】
0006695808.tif 000125
【図３２】
0006695808.tif 000126
【図３３】
0006695808.tif 000127
【図３４】
0006695808.tif 000128
【図３５】
0006695808.tif 000129
【図３６】
0006695808.tif 000130
【図３７】
0006695808.tif 000131
【図３８】
0006695808.tif 000132
【図３９】
0006695808.tif 000133
【図４０】
0006695808.tif 000134
【図４１】
0006695808.tif 000135
【図４２】
0006695808.tif 000136
【図４３】
0006695808.tif 000137
【図４４】
0006695808.tif 000138
【図４５】
0006695808.tif 000139
【図４６】
0006695808.tif 000140
【図４７】
0006695808.tif 000141
【図４８】
0006695808.tif 000142
【図４９】
0006695808.tif 000143
【図５０】
0006695808.tif 000144
【図５１】
0006695808.tif 000145
【図５２】
0006695808.tif 000146
【図５３】
0006695808.tif 000147
【図５４】
0006695808.tif 000148
【図５５】
0006695808.tif 000149
【図５６】
0006695808.tif 000150
【図５７】
0006695808.tif 000151
【図５８】
0006695808.tif 000152
【図５９】
0006695808.tif 000153
【図６０】
0006695808.tif 000154
【図６１】
0006695808.tif 000155
【図６２】
0006695808.tif 000156
【図６３】
0006695808.tif 000157
【図６４】
0006695808.tif 000158
【図６５】
0006695808.tif 000159
【図６６】
0006695808.tif 000160
【図６７】
0006695808.tif 000161
【図６８】
0006695808.tif 000162
【図６９】
0006695808.tif 000163
【図７０】
0006695808.tif 000164
【図７１】
0006695808.tif 000165
【図７２】
0006695808.tif 000166